(57)【要約】【課題】ビルなどの施設のエネルギー消費量を削減し、省エネを実現する。【解決手段】実績値取得部１１０が施設監視制御装置１０1〜１０nからエネルギー消費量の実績値を定期的に取得し、消費量判定部１４０が実績値とアラームライン記憶部１３０に記憶された警報値とを比較して、実績値が警報値以上である施設があるか否かを判定し、実績値が警報値以上である施設がある場合に、制御指示部１７０がその施設の施設監視制御装置に対してエネルギー消費量を減少する制御指示を優先順位記憶部１５０および制御動作記憶部１６０を参照して送信するよう構成する。【選択図】        図２
2005261050.tif 000002
【特許請求の範囲】
【請求項１】
施設に備えられた設備を監視制御する施設監視制御装置とネットワークを介して接続され、該施設のエネルギー消費量を管理するエネルギー管理装置であって、
前記施設の一定期間の累積エネルギー消費量の目標パターンを記憶した目標パターン記憶手段と、
前記施設監視制御装置から前記一定期間の開始時点からの施設の累積エネルギー消費量の実績値を受信する実績値受信手段と、
前記実績値受信手段により受信された実績値が、前記目標パターン記憶手段により記憶された目標パターンに基づく警報値以上であるか否かを判定する消費量判定手段と、
前記消費量判定手段により実績値が警報値以上であると判定された場合に、前記施設監視制御装置にエネルギー消費量を削減する制御指示を送信する制御指示送信手段と、
を備えたことを特徴とするエネルギー管理装置。
【請求項２】
前記施設のエネルギー消費量を減少させる設備操作を操作の優先順位とともに記憶した操作優先順位記憶手段を更に備え、
前記制御指示送信手段は、前記操作優先順位記憶手段により記憶された設備操作の中から、実行する設備操作を優先順位に基づいて選択し、該選択した設備操作を前記制御指示として施設監視制御装置に送信することを特徴とする請求項１に記載のエネルギー管理装置。
【請求項３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手段を更に備えたことを特徴とする請求項２に記載のエネルギー管理装置。
【請求項４】
前記目標パターンに基づく警報値を前記一定期間の警報パターンとして記憶する警報パターン記憶手段を更に備え、
前記消費量判定手段は、前記警報パターン記憶手段に警報パターンとして記憶された警報値を用いて実績値が警報値以上であるか否かを判定することを特徴とする請求項１、２または３に記載のエネルギー管理装置。
【請求項５】
前記警報パターン記憶手段に記憶される警報パターンは、目標パターンを一定の割合だけ増減したものであり、該一定の割合は、エネルギー消費量の実績に基づいて変動することを特徴とする請求項４に記載のエネルギー管理装置。
【請求項６】
前記目標パターン記憶手段は、一定期間の累積エネルギー消費量の目標パターンを所定の時間間隔で記憶し、
前記実績値受信手段は、前記開始時点から所定の時間間隔で実績値を受信し、
前記消費量判定手段は、前記実績値受信手段により所定の時間間隔で受信された実績値が、前記目標パターン記憶手段により所定の時間間隔で記憶された目標パターンに基づく警報値以上であるか否かを判定することを特徴とする請求項１〜５のいずれか一つに記載のエネルギー管理装置。
【請求項７】
前記目標パターン記憶手段は、１日の累積エネルギー消費量の目標パターンを記憶し、
前記実績値受信手段は、前記施設監視制御装置から１日の開始時点からの施設の累積エネルギー消費量の実績値を受信することを特徴とする請求項１〜６のいずれか一つに記載のエネルギー管理装置。
【請求項８】
前記目標パターン記憶手段は、過去の実績データまたはシミュレーション結果に基づく目標パターンを記憶することを特徴とする請求項１〜７のいずれか一つに記載のエネルギー管理装置。
【請求項９】
前記目標パターン記憶手段は、エネルギー需要が異なる暖房期、冷房期および中間期にそれぞれ対応して異なる目標パターンを記憶することを特徴とする請求項１〜８のいずれか一つに記載のエネルギー管理装置。
【請求項１０】
前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする請求項９に記載のエネルギー管理装置。
【請求項１１】
施設に備えられた設備を監視制御する施設監視制御装置とネットワークを介して接続され、該施設のエネルギー消費量を管理するエネルギー管理装置であって、
前記施設の一定期間の累積エネルギー消費量の目標パターンを記憶した目標パターン記憶手段と、
前記施設監視制御装置から施設のエネルギー消費量についての実績データを受信する実績データ受信手段と、
前記実績データ受信手段により受信された実績データに基づいて前記一定期間の開始時点からの施設の累積エネルギー消費量の実績値を算出する算出手段と、
前記算出手段により算出された実績値が、前記目標パターン記憶手段により記憶された目標パターンに基づく警報値以上であるか否かを判定する消費量判定手段と、
前記消費量判定手段により実績値が警報値以上であると判定された場合に、前記施設監視制御装置にエネルギー消費量を削減する制御指示を送信する制御指示送信手段と、
を備えたことを特徴とするエネルギー管理装置。
【請求項１２】
前記施設のエネルギー消費量を減少させる設備操作を操作の優先順位とともに記憶した操作優先順位記憶手段を更に備え、
前記制御指示送信手段は、前記操作優先順位記憶手段により記憶された設備操作の中から、実行する設備操作を優先順位に基づいて選択し、該選択した設備操作を前記制御指示として施設監視制御装置に送信することを特徴とする請求項１１に記載のエネルギー管理装置。
【請求項１３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手段を更に備えたことを特徴とする請求項１２に記載のエネルギー管理装置。
【請求項１４】
前記目標パターンに基づく警報値を前記一定期間の警報パターンとして記憶する警報パターン記憶手段を更に備え、
前記消費量判定手段は、前記警報パターン記憶手段に警報パターンとして記憶された警報値を用いて実績値が警報値以上であるか否かを判定することを特徴とする請求項１１、１２または１３に記載のエネルギー管理装置。
【請求項１５】
前記警報パターン記憶手段に記憶される警報パターンは、目標パターンを一定の割合だけ増減したものであり、該一定の割合は、エネルギー消費量の実績に基づいて変動することを特徴とする請求項１４に記載のエネルギー管理装置。
【請求項１６】
前記目標パターン記憶手段は、一定期間の累積エネルギー消費量の目標パターンを所定の時間間隔で記憶し、
前記実績データ受信手段は、前記開始時点から所定の時間間隔で実績データを受信し、
前記算出手段は、前記実績データ受信手段により所定の時間間隔で受信された実績データに基づいて前記一定期間の開始時点からの施設の累積エネルギー消費量の実績値を該所定の時間間隔で算出し、
前記消費量判定手段は、前記算出手段により所定の時間間隔で算出された実績値が、前記目標パターン記憶手段により所定の時間間隔で記憶された目標パターンに基づく警報値以上であるか否かを判定することを特徴とする請求項１１〜１５のいずれか一つに記載のエネルギー管理装置。
【請求項１７】
前記目標パターン記憶手段は、１日の累積エネルギー消費量の目標パターンを記憶し、
前記算出手段は、前記実績データ受信手段により受信された実績データに基づいて１日の開始時点からの施設の累積エネルギー消費量の実績値を算出することを特徴とする請求項１１〜１６のいずれか一つに記載のエネルギー管理装置。
【請求項１８】
前記目標パターン記憶手段は、過去の実績データまたはシミュレーション結果に基づく目標パターンを記憶することを特徴とする請求項１１〜１７のいずれか一つに記載のエネルギー管理装置。
【請求項１９】
前記目標パターン記憶手段は、エネルギー需要が異なる暖房期、冷房期および中間期にそれぞれ対応して異なる目標パターンを記憶することを特徴とする請求項１１〜１８のいずれか一つに記載のエネルギー管理装置。
【請求項２０】
前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする請求項１９に記載のエネルギー管理装置。
【請求項２１】
施設に備えられた設備を監視制御する施設監視制御装置であって、
前記施設の一定期間の累積エネルギー消費量の目標パターンを記憶した目標パターン記憶手段と、
前記一定期間の開始時点からの施設の累積エネルギー消費量の実績値が、前記目標パターン記憶手段により記憶された目標パターンに基づく警報値以上であるか否かを判定する消費量判定手段と、
前記消費量判定手段により実績値が警報値以上であると判定された場合に、エネルギー消費量を削減する操作を設備に対して行う設備操作手段と、
を備えたことを特徴とする施設監視制御装置。
【請求項２２】
前記施設のエネルギー消費量を減少させる設備操作を操作の優先順位とともに記憶した操作優先順位記憶手段を更に備え、
前記設備操作手段は、前記操作優先順位記憶手段により記憶された設備操作の中から、実行する設備操作を優先順位に基づいて選択し、該選択した設備操作を行うことを特徴とする請求項２１に記載の施設監視制御装置。
【請求項２３】
警報値以上になった累積エネルギー消費量の実績値が前記設備操作によって警報値より少なくなったか否かを所定の時間経過後に判定し、警報値より少なくなった場合に該設備操作を元に戻す復帰操作を行う復帰操作手段を更に備えたことを特徴とする請求項２２に記載の施設監視制御装置。
【請求項２４】
前記目標パターンに基づく警報値を前記一定期間の警報パターンとして記憶する警報パターン記憶手段を更に備え、
前記消費量判定手段は、前記警報パターン記憶手段に警報パターンとして記憶された警報値を用いて実績値が警報値以上であるか否かを判定することを特徴とする請求項２１、２２または２３に記載のエネルギー管理装置。
【請求項２５】
前記警報パターン記憶手段に記憶される警報パターンは、目標パターンを一定の割合だけ増減したものであり、該一定の割合は、エネルギー消費量の実績に基づいて変動することを特徴とする請求項２４に記載のエネルギー管理装置。
【請求項２６】
前記目標パターン記憶手段は、一定期間の累積エネルギー消費量の目標パターンを所定の時間間隔で記憶し、
前記消費量判定手段は、実績値が目標パターンに基づく警報値以上であるか否かを前記所定の時間間隔で判定することを特徴とする請求項２１〜２５のいずれか一つに記載の施設監視制御装置。
【請求項２７】
前記目標パターン記憶手段は、１日の累積エネルギー消費量の目標パターンを記憶し、
前記消費量判定手段は、１日の開始時点からの施設の累積エネルギー消費量の実績値が、前記目標パターン記憶手段により記憶された目標パターンに基づく警報値以上であるか否かを判定することを特徴とする請求項２１〜２６のいずれか一つに記載の施設監視制御装置。
【請求項２８】
前記目標パターン記憶手段は、過去の実績データまたはシミュレーション結果に基づく目標パターンを記憶することを特徴とする請求項２１〜２７のいずれか一つに記載の施設監視制御装置。
【請求項２９】
前記目標パターン記憶手段は、エネルギー需要が異なる暖房期、冷房期および中間期にそれぞれ対応して異なる目標パターンを記憶することを特徴とする請求項２１〜２８のいずれか一つに記載の施設監視制御装置。
【請求項３０】
前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする請求項２９に記載の施設監視制御装置。
【請求項３１】
施設に備えられた設備を監視制御する施設監視制御装置に接続される該施設のエネルギー消費量を管理するエネルギー管理装置であって、
前記施設の一定期間の累積エネルギー消費量の目標パターンを記憶した目標パターン記憶手段と、
前記施設監視制御装置から前記一定期間の開始時点からの施設の累積エネルギー消費量の実績値を入力する実績値入力手段と、
前記実績値入力手段により入力された実績値が、前記目標パターン記憶手段により記憶された目標パターンに基づく警報値以上であるか否かを判定する消費量判定手段と、
前記消費量判定手段により実績値が警報値以上であると判定された場合に、前記施設監視制御装置にエネルギー消費量を削減する制御指示を出力する制御指示出力手段と、
を備えたことを特徴とするエネルギー管理装置。
【請求項３２】
前記施設のエネルギー消費量を減少させる設備操作を操作の優先順位とともに記憶した操作優先順位記憶手段を更に備え、
前記制御指示出力手段は、前記操作優先順位記憶手段により記憶された設備操作の中から、実行する設備操作を優先順位に基づいて選択し、該選択した設備操作を前記制御指示として施設監視制御装置に出力することを特徴とする請求項３１に記載のエネルギー管理装置。
【請求項３３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手段を更に備えたことを特徴とする請求項３２に記載のエネルギー管理装置。
【請求項３４】
前記目標パターンに基づく警報値を前記一定期間の警報パターンとして記憶する警報パターン記憶手段を更に備え、
前記消費量判定手段は、前記警報パターン記憶手段に警報パターンとして記憶された警報値を用いて実績値が警報値以上であるか否かを判定することを特徴とする請求項３１、３２または３３に記載のエネルギー管理装置。
【請求項３５】
前記警報パターン記憶手段に記憶される警報パターンは、目標パターンを一定の割合だけ増減したものであり、該一定の割合は、エネルギー消費量の実績に基づいて変動することを特徴とする請求項３４に記載のエネルギー管理装置。
【請求項３６】
前記目標パターン記憶手段は、一定期間の累積エネルギー消費量の目標パターンを所定の時間間隔で記憶し、
前記実績値入力手段は、前記開始時点から所定の時間間隔で実績値を入力し、
前記消費量判定手段は、前記実績値入力手段により所定の時間間隔で入力された実績値が、前記目標パターン記憶手段により所定の時間間隔で記憶された目標パターンに基づく警報値以上であるか否かを判定することを特徴とする請求項３１〜３５のいずれか一つに記載のエネルギー管理装置。
【請求項３７】
前記目標パターン記憶手段は、１日の累積エネルギー消費量の目標パターンを記憶し、
前記実績値入力手段は、前記施設監視制御装置から１日の開始時点からの施設の累積エネルギー消費量の実績値を入力することを特徴とする請求項３１〜３６のいずれか一つに記載のエネルギー管理装置。
【請求項３８】
前記目標パターン記憶手段は、過去の実績データまたはシミュレーション結果に基づく目標パターンを記憶することを特徴とする請求項３１〜３７のいずれか一つに記載のエネルギー管理装置。
【請求項３９】
前記目標パターン記憶手段は、エネルギー需要が異なる暖房期、冷房期および中間期にそれぞれ対応して異なる目標パターンを記憶することを特徴とする請求項３１〜３８のいずれか一つに記載のエネルギー管理装置。
【請求項４０】
前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする請求項３９に記載のエネルギー管理装置。
【請求項４１】
施設に備えられた設備を監視制御する施設監視制御装置に接続される該施設のエネルギー消費量を管理するエネルギー管理装置であって、
前記施設の一定期間の累積エネルギー消費量の目標パターンを記憶した目標パターン記憶手段と、
前記施設監視制御装置から施設のエネルギー消費量についての実績データを入力する実績データ入力手段と、
前記実績データ入力手段により入力された実績データに基づいて前記一定期間の開始時点からの施設の累積エネルギー消費量の実績値を算出する算出手段と、
前記算出手段により算出された実績値が、前記目標パターン記憶手段により記憶された目標パターンに基づく警報値以上であるか否かを判定する消費量判定手段と、
前記消費量判定手段により実績値が警報値以上であると判定された場合に、前記施設監視制御装置にエネルギー消費量を削減する制御指示を出力する制御指示出力手段と、
を備えたことを特徴とするエネルギー管理装置。
【請求項４２】
前記施設のエネルギー消費量を減少させる設備操作を操作の優先順位とともに記憶した操作優先順位記憶手段を更に備え、
前記制御指示送信手段は、前記操作優先順位記憶手段により記憶された設備操作の中から、実行する設備操作を優先順位に基づいて選択し、該選択した設備操作を前記制御指示として施設監視制御装置に出力することを特徴とする請求項４１に記載のエネルギー管理装置。
【請求項４３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手段を更に備えたことを特徴とする請求項４２に記載のエネルギー管理装置。
【請求項４４】
前記目標パターンに基づく警報値を前記一定期間の警報パターンとして記憶する警報パターン記憶手段を更に備え、
前記消費量判定手段は、前記警報パターン記憶手段に警報パターンとして記憶された警報値を用いて実績値が警報値以上であるか否かを判定することを特徴とする請求項４１、４２または４３に記載のエネルギー管理装置。
【請求項４５】
前記警報パターン記憶手段に記憶される警報パターンは、目標パターンを一定の割合だけ増減したものであり、該一定の割合は、エネルギー消費量の実績に基づいて変動することを特徴とする請求項４４に記載のエネルギー管理装置。
【請求項４６】
前記目標パターン記憶手段は、一定期間の累積エネルギー消費量の目標パターンを所定の時間間隔で記憶し、
前記実績データ入力手段は、前記開始時点から所定の時間間隔で実績データを入力し、
前記算出手段は、前記実績データ受入力手段により所定の時間間隔で入力された実績データに基づいて前記一定期間の開始時点からの施設の累積エネルギー消費量の実績値を該所定の時間間隔で算出し、
前記消費量判定手段は、前記算出手段により所定の時間間隔で算出された実績値が、前記目標パターン記憶手段により所定の時間間隔で記憶された目標パターンに基づく警報値以上であるか否かを判定することを特徴とする請求項４１〜４５のいずれか一つに記載のエネルギー管理装置。
【請求項４７】
前記目標パターン記憶手段は、１日の累積エネルギー消費量の目標パターンを記憶し、
前記算出手段は、前記実績データ入力手段により入力された実績データに基づいて１日の開始時点からの施設の累積エネルギー消費量の実績値を算出することを特徴とする請求項４１〜４６のいずれか一つに記載のエネルギー管理装置。
【請求項４８】
前記目標パターン記憶手段は、過去の実績データまたはシミュレーション結果に基づく目標パターンを記憶することを特徴とする請求項４１〜４７のいずれか一つに記載のエネルギー管理装置。
【請求項４９】
前記目標パターン記憶手段は、エネルギー需要が異なる暖房期、冷房期および中間期にそれぞれ対応して異なる目標パターンを記憶することを特徴とする請求項４１〜４８のいずれか一つに記載のエネルギー管理装置。
【請求項５０】
前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする請求項４９に記載のエネルギー管理装置。
【請求項５１】
施設に備えられた設備を監視制御する施設監視制御装置とネットワークを介して接続されるコンピュータで実行され、該施設のエネルギー消費量を管理するエネルギー管理プログラムであって、
前記施設監視制御装置から一定期間の開始時点からの施設の累積エネルギー消費量の実績値を受信する実績値受信手順と、
前記実績値受信手順により受信された実績値が、前記一定期間の施設の累積エネルギー消費量の目標パターンに基づく警報値以上であるか否かを判定する消費量判定手順と、
前記消費量判定手順により実績値が警報値以上であると判定された場合に、前記施設監視制御装置にエネルギー消費量を削減する制御指示を送信する制御指示送信手順と、
をコンピュータに実行させることを特徴とするエネルギー管理プログラム。
【請求項５２】
前記施設のエネルギー消費量を減少させる設備操作を操作の優先順位とともに記憶した記憶装置から、実行する設備操作を優先順位に基づいて読み出す設備操作読出し手順を更にコンピュータに実行させ、
前記制御指示送信手順は、前記設備操作読出し手順により読み出された設備操作を前記制御指示として施設監視制御装置に送信することを特徴とする請求項５１に記載のエネルギー管理プログラム。
【請求項５３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手順を更にコンピュータに実行させることを特徴とする請求項５２に記載のエネルギー管理プログラム。
【請求項５４】
前記消費量判定手順は、前記目標パターンに基づく警報値を前記一定期間の警報パターンとして記憶する記憶装置から読み出して実績値が警報値以上であるか否かを判定することを特徴とする請求項５１、５２または５３に記載のエネルギー管理プログラム。
【請求項５５】
前記記憶装置に記憶される警報パターンは、目標パターンを一定の割合だけ増減したものであり、該一定の割合は、エネルギー消費量の実績に基づいて変動することを特徴とする請求項５４に記載のエネルギー管理プログラム。
【請求項５６】
前記実績値受信手順は、前記開始時点から所定の時間間隔で実績値を受信し、
前記消費量判定手順は、前記実績値受信手順により所定の時間間隔で受信された実績値が、一定期間の累積エネルギー消費量の目標パターンに基づく警報値以上であるか否かを所定の時間間隔で判定することを特徴とする請求項５１〜５５のいずれか一つに記載のエネルギー管理プログラム。
【請求項５７】
前記実績値受信手順は、前記施設監視制御装置から１日の開始時点からの施設の累積エネルギー消費量の実績値を受信し、
前記消費量判定手順は、前記実績値受信手順により受信された実績値が、１日の施設の累積エネルギー消費量の目標パターンに基づく警報値以上であるか否かを判定することを特徴とする請求項５１〜５６のいずれか一つに記載のエネルギー管理プログラム。
【請求項５８】
前記目標パターンは、過去の実績データまたはシミュレーション結果に基づくものであることを特徴とする請求項５１〜５７のいずれか一つに記載のエネルギー管理プログラム。
【請求項５９】
前記目標パターンは、エネルギー需要が異なる暖房期、冷房期および中間期にそれぞれ対応して異なる目標パターンであることを特徴とする請求項５１〜５８のいずれか一つに記載のエネルギー管理プログラム。
【請求項６０】
前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする請求項５９に記載のエネルギー管理プログラム。
【請求項６１】
施設に備えられた設備を監視制御する施設監視制御装置とネットワークを介して接続されるコンピュータで実行され、該施設のエネルギー消費量を管理するエネルギー管理プログラムであって、
前記施設監視制御装置から施設のエネルギー消費量についての実績データを受信する実績データ受信手順と、
前記実績データ受信手順により受信された実績データに基づいて一定期間の開始時点からの施設の累積エネルギー消費量の実績値を算出する算出手順と、
前記算出手順により算出された実績値が、前記一定期間の施設の累積エネルギー消費量の目標パターンに基づく警報値以上であるか否かを判定する消費量判定手順と、
前記消費量判定手順により実績値が警報値以上であると判定された場合に、前記施設監視制御装置にエネルギー消費量を削減する制御指示を送信する制御指示送信手順と、
をコンピュータに実行させることを特徴とするエネルギー管理プログラム。
【請求項６２】
前記施設のエネルギー消費量を減少させる設備操作を操作の優先順位とともに記憶した記憶装置から、実行する設備操作を優先順位に基づいて読み出す設備操作読出し手順を更にコンピュータに実行させ、
前記制御指示送信手順は、前記設備操作読出し手順により読み出された設備操作を前記制御指示として施設監視制御装置に送信することを特徴とする請求項６１に記載のエネルギー管理プログラム。
【請求項６３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手順を更にコンピュータに実行させることを特徴とする請求項６２に記載のエネルギー管理プログラム。
【請求項６４】
前記消費量判定手順は、前記目標パターンに基づく警報値を前記一定期間の警報パターンとして記憶する記憶装置から読み出して実績値が警報値以上であるか否かを判定することを特徴とする請求項６１、６２または６３に記載のエネルギー管理プログラム。
【請求項６５】
前記記憶装置に記憶される警報パターンは、目標パターンを一定の割合だけ増減したものであり、該一定の割合は、エネルギー消費量の実績に基づいて変動することを特徴とする請求項６４に記載のエネルギー管理プログラム。
【請求項６６】
前記実績データ受信手順は、前記開始時点から所定の時間間隔で実績データを受信し、
前記算出手順は、前記実績データ受信手順により所定の時間間隔で受信された実績データに基づいて前記一定期間の開始時点からの施設の累積エネルギー消費量の実績値を該所定の間隔で算出し、
前記消費量判定手順は、前記算出手順により所定の時間間隔で算出された実績値が、前記一定期間の累積エネルギー消費量の目標パターンに基づく警報値以上であるか否かを所定の時間間隔で判定することを特徴とする請求項６１〜６５のいずれか一つに記載のエネルギー管理プログラム。
【請求項６７】
前記算出手順は、前記実績データ受信手順により受信された実績データに基づいて１日の開始時点からの施設の累積エネルギー消費量の実績値を算出し、
前記消費量判定手順は、前記算出手順により算出された実績値が１日の施設の累積エネルギー消費量の目標パターンに基づく警報値以上であるか否かを判定することを特徴とする請求項６１〜６６のいずれか一つに記載のエネルギー管理プログラム。
【請求項６８】
前記目標パターンは、過去の実績データまたはシミュレーション結果に基づくものであることを特徴とする請求項６１〜６７のいずれか一つに記載のエネルギー管理プログラム。
【請求項６９】
前記目標パターンは、エネルギー需要が異なる暖房期、冷房期および中間期にそれぞれ対応して異なる目標パターンであることを特徴とする請求項６１〜６８のいずれか一つに記載のエネルギー管理プログラム。
【請求項７０】
前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする請求項６９に記載のエネルギー管理プログラム。
【請求項７１】
施設に備えられた設備を監視制御する施設監視制御プログラムであって、
前記施設の一定期間の開始時点からの累積エネルギー消費量の実績値が、該一定期間の累積エネルギー消費量の目標パターンに基づく警報値以上であるか否かを判定する消費量判定手順と、
前記消費量判定手順により実績値が警報値以上であると判定された場合に、エネルギー消費量を削減する操作を設備に対して行う設備操作手順と、
をコンピュータに実行させることを特徴とする施設監視制御プログラム。
【請求項７２】
前記施設のエネルギー消費量を減少させる設備操作を操作の優先順位とともに記憶した記憶装置から、実行する設備操作を優先順位に基づいて読み出す設備操作読出し手順を更にコンピュータに実行させ、
前記設備操作手順は、前記設備操作読出し手順により読み出された設備操作を行うことを特徴とする請求項７１に記載の施設監視制御プログラム。
【請求項７３】
警報値以上になった累積エネルギー消費量の実績値が前記設備操作によって警報値より少なくなったか否かを所定の時間経過後に判定し、警報値より少なくなった場合に該設備操作を元に戻す復帰操作を行う復帰操作手順を更にコンピュータに実行させることを特徴とする請求項７２に記載の施設監視制御プログラム。
【請求項７４】
前記消費量判定手順は、前記目標パターンに基づく警報値を前記一定期間の警報パターンとして記憶する記憶装置から読み出して実績値が警報値以上であるか否かを判定することを特徴とする請求項７１、７２または７３に記載の施設監視制御プログラム。
【請求項７５】
前記記憶装置に記憶される警報パターンは、目標パターンを一定の割合だけ増減したものであり、該一定の割合は、エネルギー消費量の実績に基づいて変動することを特徴とする請求項７４に記載の施設監視制御プログラム。
【請求項７６】
前記消費量判定手順は、前記施設の一定期間の開始時点からの累積エネルギー消費量の実績値が、該一定期間の累積エネルギー消費量の目標パターンに基づく警報値以上であるか否かを所定の時間間隔で判定することを特徴とする請求項７１〜７５のいずれか一つに記載の施設監視制御プログラム。
【請求項７７】
前記消費量判定手順は、前記施設の１日の開始時点からの累積エネルギー消費量の実績値が、該施設の１日の累積エネルギー消費量の目標パターンに基づく警報値以上であるか否かを判定することを特徴とする請求項７１〜７６のいずれか一つに記載の施設監視制御プログラム。
【請求項７８】
前記目標パターンは、過去の実績データまたはシミュレーション結果に基づくものであることを特徴とする請求項７１〜７７のいずれか一つに記載の施設監視制御プログラム。
【請求項７９】
前記目標パターンは、エネルギー需要が異なる暖房期、冷房期および中間期にそれぞれ対応して異なる目標パターンであることを特徴とする請求項７１〜７８のいずれか一つに記載の施設監視制御プログラム。
【請求項８０】
前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする請求項７９に記載の施設監視制御プログラム。
【請求項８１】
施設に備えられた設備を監視制御する施設監視制御装置に接続される該施設のエネルギー消費量を管理するエネルギー管理装置に搭載されるエネルギー管理プログラムであって、
前記施設監視制御装置から一定期間の開始時点からの施設の累積エネルギー消費量の実績値を入力する実績値入力手順と、
前記実績値入力手順により入力された実績値が、前記一定期間の施設の累積エネルギー消費量の目標パターンに基づく警報値以上であるか否かを判定する消費量判定手順と、
前記消費量判定手順により実績値が警報値以上であると判定された場合に、前記施設監視制御装置にエネルギー消費量を削減する制御指示を出力する制御指示出力手順と、
をコンピュータに実行させることを特徴とするエネルギー管理プログラム。
【請求項８２】
前記施設のエネルギー消費量を減少させる設備操作を操作の優先順位とともに記憶した記憶装置から、実行する設備操作を優先順位に基づいて読み出す設備操作読出し手順を更にコンピュータに実行させ、
前記制御指示出力手順は、前記設備操作読出し手順により読み出された設備操作を前記制御指示として施設監視制御装置に出力することを特徴とする請求項８１に記載のエネルギー管理プログラム。
【請求項８３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手順を更にコンピュータに実行させることを特徴とする請求項８２に記載のエネルギー管理プログラム。
【請求項８４】
前記消費量判定手順は、前記目標パターンに基づく警報値を前記一定期間の警報パターンとして記憶する記憶装置から読み出して実績値が警報値以上であるか否かを判定することを特徴とする請求項８１、８２または８３に記載のエネルギー管理プログラム。
【請求項８５】
前記記憶装置に記憶される警報パターンは、目標パターンを一定の割合だけ増減したものであり、該一定の割合は、エネルギー消費量の実績に基づいて変動することを特徴とする請求項８４に記載のエネルギー管理プログラム。
【請求項８６】
前記実績値入力手順は、前記開始時点から所定の時間間隔で実績値を入力し、
前記消費量判定手順は、前記実績値受信手順により所定の時間間隔で入力された実績値が、一定期間の累積エネルギー消費量の目標パターンに基づく警報値以上であるか否かを所定の時間間隔で判定することを特徴とする請求項８１〜８５のいずれか一つに記載のエネルギー管理プログラム。
【請求項８７】
前記実績値入力手順は、前記施設監視制御装置から１日の開始時点からの施設の累積エネルギー消費量の実績値を入力し、
前記消費量判定手順は、前記実績値入力手順により入力された実績値が、１日の施設の累積エネルギー消費量の目標パターンに基づく警報値以上であるか否かを判定することを特徴とする請求項８１〜８６のいずれか一つに記載のエネルギー管理プログラム。
【請求項８８】
前記目標パターンは、過去の実績データまたはシミュレーション結果に基づくものであることを特徴とする請求項８１〜８７のいずれか一つに記載のエネルギー管理プログラム。
【請求項８９】
前記目標パターンは、エネルギー需要が異なる暖房期、冷房期および中間期にそれぞれ対応して異なる目標パターンであることを特徴とする請求項８１〜８８のいずれか一つに記載のエネルギー管理プログラム。
【請求項９０】
前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする請求項８９に記載のエネルギー管理プログラム。
【請求項９１】
施設に備えられた設備を監視制御する施設監視制御装置に接続される該施設のエネルギー消費量を管理するエネルギー管理装置に搭載されるエネルギー管理プログラムであって、
前記施設監視制御装置から施設のエネルギー消費量についての実績データを入力する実績データ入力手順と、
前記実績データ入力手順により入力された実績データに基づいて一定期間の開始時点からの施設の累積エネルギー消費量の実績値を算出する算出手順と、
前記算出手順により算出された実績値が、前記一定期間の施設の累積エネルギー消費量の目標パターンに基づく警報値以上であるか否かを判定する消費量判定手順と、
前記消費量判定手順により実績値が警報値以上であると判定された場合に、前記施設監視制御装置にエネルギー消費量を削減する制御指示を出力する制御指示出力手順と、
をコンピュータに実行させることを特徴とするエネルギー管理プログラム。
【請求項９２】
前記施設のエネルギー消費量を減少させる設備操作を操作の優先順位とともに記憶した記憶装置から、実行する設備操作を優先順位に基づいて読み出す設備操作読出し手順を更にコンピュータに実行させ、
前記制御指示出力手順は、前記設備操作読出し手順により読み出された設備操作を前記制御指示として施設監視制御装置に出力することを特徴とする請求項９１に記載のエネルギー管理プログラム。
【請求項９３】
警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手順を更にコンピュータに実行させることを特徴とする請求項９２に記載のエネルギー管理プログラム。
【請求項９４】
前記消費量判定手順は、前記目標パターンに基づく警報値を前記一定期間の警報パターンとして記憶する記憶装置から読み出して実績値が警報値以上であるか否かを判定することを特徴とする請求項９１、９２または９３に記載のエネルギー管理プログラム。
【請求項９５】
前記記憶装置に記憶される警報パターンは、目標パターンを一定の割合だけ増減したものであり、該一定の割合は、エネルギー消費量の実績に基づいて変動することを特徴とする請求項９４に記載のエネルギー管理プログラム。
【請求項９６】
前記実績データ入力手順は、前記開始時点から所定の時間間隔で実績データを入力し、
前記算出手順は、前記実績データ入力手順により所定の時間間隔で入力された実績データに基づいて前記一定期間の開始時点からの施設の累積エネルギー消費量の実績値を該所定の間隔で算出し、
前記消費量判定手順は、前記算出手順により所定の時間間隔で算出された実績値が、前記一定期間の累積エネルギー消費量の目標パターンに基づく警報値以上であるか否かを所定の時間間隔で判定することを特徴とする請求項９１〜９５のいずれか一つに記載のエネルギー管理プログラム。
【請求項９７】
前記算出手順は、前記実績データ入力手順により入力された実績データに基づいて１日の開始時点からの施設の累積エネルギー消費量の実績値を算出し、
前記消費量判定手順は、前記算出手順により算出された実績値が１日の施設の累積エネルギー消費量の目標パターンに基づく警報値以上であるか否かを判定することを特徴とする請求項９１〜９６のいずれか一つに記載のエネルギー管理プログラム。
【請求項９８】
前記目標パターンは、過去の実績データまたはシミュレーション結果に基づくものであることを特徴とする請求項９１〜９７のいずれか一つに記載のエネルギー管理プログラム。
【請求項９９】
前記目標パターンは、エネルギー需要が異なる暖房期、冷房期および中間期にそれぞれ対応して異なる目標パターンであることを特徴とする請求項９１〜９８のいずれか一つに記載のエネルギー管理プログラム。
【請求項１００】
前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする請求項９９に記載のエネルギー管理プログラム。
【発明の詳細な説明】
【技術分野】
【０００１】
この発明は、施設に備えられた設備のエネルギー消費量を管理するエネルギー管理装置、施設監視制御装置、エネルギー管理プログラムおよび施設監視制御プログラムに関し、特に、エネルギー消費量を目標値に沿って制御し、もってエネルギー消費量を削減することができるエネルギー管理装置、施設監視制御装置、エネルギー管理プログラムおよび施設監視制御プログラムに関するものである。
【背景技術】
【０００２】
従来、ＢＥＭＳ（ビルエネルギーマネジメントシステム）では、ビルの消費エネルギーを監視し、ビル内のエネルギー消費設備が消費したエネルギーについてデータを収集・分析してビルの監視員や管理者に提供していた（例えば、特許文献１参照。）。ここで、ＢＥＭＳが監視するエネルギーとしては、電気、ガス、石油などがある。
【０００３】
【特許文献１】特開２００１−１４１７６２号公報
【発明の開示】
【発明が解決しようとする課題】
【０００４】
しかしながら、従来のＢＥＭＳでは、消費エネルギーについて収集・分析した情報をビルの管理者などに提供するにとどまり、提供された情報の活用はビルの管理者などに任されていた。このため、エネルギーの消費量を監視するだけで、エネルギー消費量の削減などの直接的な効果にはつながらないという問題があった。
【０００５】
この発明は、上述した従来技術による問題点を解消するためになされたものであり、エネルギー消費量を目標値に沿って制御し、もってエネルギー消費量を削減することができるエネルギー管理装置、施設監視制御装置、エネルギー管理プログラムおよび施設監視制御プログラムを提供することを目的とする。
【課題を解決するための手段】
【０００６】
上述した課題を解決し、目的を達成するため、請求項１に係る発明は、施設に備えられた設備を監視制御する施設監視制御装置とネットワークを介して接続され、該施設のエネルギー消費量を管理するエネルギー管理装置であって、前記施設の一定期間の累積エネルギー消費量の目標パターンを記憶した目標パターン記憶手段と、前記施設監視制御装置から前記一定期間の開始時点からの施設の累積エネルギー消費量の実績値を受信する実績値受信手段と、前記実績値受信手段により受信された実績値が、前記目標パターン記憶手段により記憶された目標パターンに基づく警報値以上であるか否かを判定する消費量判定手段と、前記消費量判定手段により実績値が警報値以上であると判定された場合に、前記施設監視制御装置にエネルギー消費量を削減する制御指示を送信する制御指示送信手段と、を備えたことを特徴とする。
【０００７】
この請求項１に係る発明によれば、施設の一定期間の累積エネルギー消費量の目標パターンを記憶し、施設監視制御装置から一定期間の開始時点からの施設の累積エネルギー消費量の実績値を受信し、受信した実績値が、記憶した目標パターンに基づく警報値以上であるか否かを判定し、実績値が警報値以上であると判定した場合に、施設監視制御装置にエネルギー消費量を削減する制御指示を送信するよう構成したので、エネルギー消費量を目標値に沿って制御することができる。
【０００８】
また、請求項２に係る発明は、請求項１に係る発明において、施設のエネルギー消費量を減少させる設備操作を操作の優先順位とともに記憶した操作優先順位記憶手段を更に備え、前記制御指示送信手段は、前記操作優先順位記憶手段により記憶された設備操作の中から、実行する設備操作を優先順位に基づいて選択し、該選択した設備操作を前記制御指示として施設監視制御装置に送信することを特徴とする。
【０００９】
この請求項２に係る発明によれば、施設のエネルギー消費量を減少させる設備操作を操作の優先順位とともに記憶し、記憶した設備操作の中から、実行する設備操作を優先順位に基づいて選択し、選択した設備操作を制御指示として施設監視制御装置に送信するよう構成したので、設備の優先度に基づいてエネルギー消費量を管理することができる。
【００１０】
また、請求項３に係る発明は、請求項２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手段を更に備えたことを特徴とする。
【００１１】
この請求項３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に送信するよう構成したので、エネルギー消費量を不必要に削減することを防ぐことができる。
【００１２】
また、請求項４に係る発明は、請求項１、２または３に係る発明において、前記目標パターンに基づく警報値を前記一定期間の警報パターンとして記憶する警報パターン記憶手段を更に備え、前記消費量判定手段は、前記警報パターン記憶手段に警報パターンとして記憶された警報値を用いて実績値が警報値以上であるか否かを判定することを特徴とする。
【００１３】
この請求項４に係る発明によれば、目標パターンに基づく警報値を一定期間の警報パターンとして記憶し、警報パターンとして記憶した警報値を用いて実績値が警報値以上であるか否かを判定するよう構成したので、実績値が警報値以上であるか否かを簡単に判定することができる。
【００１４】
また、請求項５に係る発明は、請求項４に係る発明において、前記警報パターン記憶手段に記憶される警報パターンは、目標パターンを一定の割合だけ増減したものであり、該一定の割合は、エネルギー消費量の実績に基づいて変動することを特徴とする。
【００１５】
この請求項５に係る発明によれば、記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【００１６】
また、請求項６に係る発明は、請求項１〜５に係る発明において、前記目標パターン記憶手段は、一定期間の累積エネルギー消費量の目標パターンを所定の時間間隔で記憶し、前記実績値受信手段は、前記開始時点から所定の時間間隔で実績値を受信し、前記消費量判定手段は、前記実績値受信手段により所定の時間間隔で受信された実績値が、前記目標パターン記憶手段により所定の時間間隔で記憶された目標パターンに基づく警報値以上であるか否かを判定することを特徴とする。
【００１７】
この請求項６に係る発明によれば、一定期間の累積エネルギー消費量の目標パターンを所定の時間間隔で記憶し、一定期間の開始時点から所定の時間間隔で実績値を受信し、所定の時間間隔で受信した実績値が、所定の時間間隔で記憶した目標パターンに基づく警報値以上であるか否かを判定するよう構成したので、エネルギー消費量を目標値に沿って確実に制御することができる。
【００１８】
また、請求項７に係る発明は、請求項１〜６に係る発明において、前記目標パターン記憶手段は、１日の累積エネルギー消費量の目標パターンを記憶し、前記実績値受信手段は、前記施設監視制御装置から１日の開始時点からの施設の累積エネルギー消費量の実績値を受信することを特徴とする。
【００１９】
この請求項７に係る発明によれば、１日の累積エネルギー消費量の目標パターンを記憶し、施設監視制御装置から１日の開始時点からの施設の累積エネルギー消費量の実績値を受信するよう構成したので、１日単位でエネルギー消費量を管理することができる。
【００２０】
また、請求項８に係る発明は、請求項１〜７に係る発明において、前記目標パターン記憶手段は、過去の実績データまたはシミュレーション結果に基づく目標パターンを記憶することを特徴とする。
【００２１】
この請求項８に係る発明によれば、過去の実績データまたはシミュレーション結果に基づく目標パターンを記憶するよう構成したので、目標パターンを過去の実績値またはシミュレーション結果を反映させたものとすることができる。
【００２２】
また、請求項９に係る発明は、請求項１〜８に係る発明において、前記目標パターン記憶手段は、エネルギー需要が異なる暖房期、冷房期および中間期にそれぞれ対応して異なる目標パターンを記憶することを特徴とする。
【００２３】
この請求項９に係る発明によれば、エネルギー需要が異なる暖房期、冷房期および中間期にそれぞれ対応して異なる目標パターンを記憶することとしたので、目標パターンをエネルギー需要に適したものにすることができる。
【００２４】
また、請求項１０に係る発明は、請求項９に係る発明において、前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする。
【００２５】
この請求項１０に係る発明によれば、暖房期、冷房期および中間期の各期をそれぞれ細分した細分期間ごとに目標パターンを記憶し、各細分期間の目標パターンは、細分前の各期の目標パターンを各期および各細分期間の外気温の相違に基づいて補正したものであるよう構成したので、目標パターンをよりエネルギー需要に適したものにすることができる。
【００２６】
また、請求項１１に係る発明は、施設に備えられた設備を監視制御する施設監視制御装置とネットワークを介して接続され、該施設のエネルギー消費量を管理するエネルギー管理装置であって、前記施設の一定期間の累積エネルギー消費量の目標パターンを記憶した目標パターン記憶手段と、前記施設監視制御装置から施設のエネルギー消費量についての実績データを受信する実績データ受信手段と、前記実績データ受信手段により受信された実績データに基づいて前記一定期間の開始時点からの施設の累積エネルギー消費量の実績値を算出する算出手段と、前記算出手段により算出された実績値が、前記目標パターン記憶手段により記憶された目標パターンに基づく警報値以上であるか否かを判定する消費量判定手段と、前記消費量判定手段により実績値が警報値以上であると判定された場合に、前記施設監視制御装置にエネルギー消費量を削減する制御指示を送信する制御指示送信手段と、を備えたことを特徴とする。
【００２７】
この請求項１１に係る発明によれば、施設の一定期間の累積エネルギー消費量の目標パターンを記憶し、施設監視制御装置から施設のエネルギー消費量についての実績データを受信し、受信した実績データに基づいて一定期間の開始時点からの施設の累積エネルギー消費量の実績値を算出し、算出した実績値が、記憶した目標パターンに基づく警報値以上であるか否かを判定し、実績値が警報値以上であると判定した場合に、施設監視制御装置にエネルギー消費量を削減する制御指示を送信するよう構成したので、エネルギー消費量を目標値に沿って制御することができる。
【００２８】
また、請求項１２に係る発明は、請求項１１に係る発明において、前記施設のエネルギー消費量を減少させる設備操作を操作の優先順位とともに記憶した操作優先順位記憶手段を更に備え、前記制御指示送信手段は、前記操作優先順位記憶手段により記憶された設備操作の中から、実行する設備操作を優先順位に基づいて選択し、該選択した設備操作を前記制御指示として施設監視制御装置に送信することを特徴とする。
【００２９】
この請求項１２に係る発明によれば、施設のエネルギー消費量を減少させる設備操作を操作の優先順位とともに記憶し、記憶した設備操作の中から、実行する設備操作を優先順位に基づいて選択し、選択した設備操作を制御指示として施設監視制御装置に送信するよう構成したので、設備の優先度に基づいてエネルギー消費量を管理することができる。
【００３０】
また、請求項１３に係る発明は、請求項１２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手段を更に備えたことを特徴とする。
【００３１】
この請求項１３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に送信するよう構成したので、エネルギー消費量を不必要に削減することを防ぐことができる。
【００３２】
また、請求項１４に係る発明は、請求項１１、１２または１３に係る発明において、前記目標パターンに基づく警報値を前記一定期間の警報パターンとして記憶する警報パターン記憶手段を更に備え、前記消費量判定手段は、前記警報パターン記憶手段に警報パターンとして記憶された警報値を用いて実績値が警報値以上であるか否かを判定することを特徴とする。
【００３３】
この請求項１４に係る発明によれば、目標パターンに基づく警報値を一定期間の警報パターンとして記憶し、警報パターンとして記憶した警報値を用いて実績値が警報値以上であるか否かを判定するよう構成したので、実績値が警報値以上であるか否かを簡単に判定することができる。
【００３４】
また、請求項１５に係る発明は、請求項１４に係る発明において、前記警報パターン記憶手段に記憶される警報パターンは、目標パターンを一定の割合だけ増減したものであり、該一定の割合は、エネルギー消費量の実績に基づいて変動することを特徴とする。
【００３５】
この請求項１５に係る発明によれば、記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【００３６】
また、請求項１６に係る発明は、請求項１１〜１５に係る発明において、前記目標パターン記憶手段は、一定期間の累積エネルギー消費量の目標パターンを所定の時間間隔で記憶し、前記実績データ受信手段は、前記開始時点から所定の時間間隔で実績データを受信し、前記算出手段は、前記実績データ受信手段により所定の時間間隔で受信された実績データに基づいて前記一定期間の開始時点からの施設の累積エネルギー消費量の実績値を該所定の時間間隔で算出し、前記消費量判定手段は、前記算出手段により所定の時間間隔で算出された実績値が、前記目標パターン記憶手段により所定の時間間隔で記憶された目標パターンに基づく警報値以上であるか否かを判定することを特徴とする。
【００３７】
この請求項１６に係る発明によれば、一定期間の累積エネルギー消費量の目標パターンを所定の時間間隔で記憶し、一定期間の開始時点から所定の時間間隔で実績値を受信し、所定の時間間隔で受信した実績値が、所定の時間間隔で記憶した目標パターンに基づく警報値以上であるか否かを判定するよう構成したので、エネルギー消費量を目標値に沿って確実に制御することができる。
【００３８】
また、請求項１７に係る発明は、請求項１１〜１６に係る発明において、前記目標パターン記憶手段は、１日の累積エネルギー消費量の目標パターンを記憶し、前記算出手段は、前記実績データ受信手段により受信された実績データに基づいて１日の開始時点からの施設の累積エネルギー消費量の実績値を算出することを特徴とする。
【００３９】
この請求項１７に係る発明によれば、１日の累積エネルギー消費量の目標パターンを記憶し、施設監視制御装置から１日の開始時点からの施設の累積エネルギー消費量の実績値を受信するよう構成したので、１日単位でエネルギー消費量を管理することができる。
【００４０】
また、請求項１８に係る発明は、請求項１１〜１７に係る発明において、前記目標パターン記憶手段は、過去の実績データまたはシミュレーション結果に基づく目標パターンを記憶することを特徴とする。
【００４１】
この請求項１８に係る発明によれば、過去の実績データまたはシミュレーション結果に基づく目標パターンを記憶するよう構成したので、目標パターンを過去の実績値またはシミュレーション結果を反映させたものとすることができる。
【００４２】
また、請求項１９に係る発明は、請求項１１〜１８に係る発明において、前記目標パターン記憶手段は、エネルギー需要が異なる暖房期、冷房期および中間期にそれぞれ対応して異なる目標パターンを記憶することを特徴とする。
【００４３】
この請求項１９に係る発明によれば、エネルギー需要が異なる暖房期、冷房期および中間期にそれぞれ対応して異なる目標パターンを記憶することとしたので、目標パターンをエネルギー需要に適したものにすることができる。
【００４４】
また、請求項２０に係る発明は、請求項１９に係る発明において、前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする。
【００４５】
この請求項２０に係る発明によれば、暖房期、冷房期および中間期の各期をそれぞれ細分した細分期間ごとに目標パターンを記憶し、各細分期間の目標パターンは、細分前の各期の目標パターンを各期および各細分期間の外気温の相違に基づいて補正したものであるよう構成したので、目標パターンをよりエネルギー需要に適したものにすることができる。
【００４６】
また、請求項２１に係る発明は、施設に備えられた設備を監視制御する施設監視制御装置であって、前記施設の一定期間の累積エネルギー消費量の目標パターンを記憶した目標パターン記憶手段と、前記一定期間の開始時点からの施設の累積エネルギー消費量の実績値が、前記目標パターン記憶手段により記憶された目標パターンに基づく警報値以上であるか否かを判定する消費量判定手段と、前記消費量判定手段により実績値が警報値以上であると判定された場合に、エネルギー消費量を削減する操作を設備に対して行う設備操作手段と、を備えたことを特徴とする。
【００４７】
この請求項２１に係る発明によれば、施設の一定期間の累積エネルギー消費量の目標パターンを記憶し、一定期間の開始時点からの施設の累積エネルギー消費量の実績値が、記憶した目標パターンに基づく警報値以上であるか否かを判定し、実績値が警報値以上であると判定した場合に、エネルギー消費量を削減する操作を設備に対して行うよう構成したので、エネルギー消費量を目標値に沿って制御することができる。
【００４８】
また、請求項２２に係る発明は、請求項２１に係る発明において、前記施設のエネルギー消費量を減少させる設備操作を操作の優先順位とともに記憶した操作優先順位記憶手段を更に備え、前記設備操作手段は、前記操作優先順位記憶手段により記憶された設備操作の中から、実行する設備操作を優先順位に基づいて選択し、該選択した設備操作を行うことを特徴とする。
【００４９】
この請求項２２に係る発明によれば、施設のエネルギー消費量を減少させる設備操作を操作の優先順位とともに記憶し、記憶した設備操作の中から、実行する設備操作を優先順位に基づいて選択し、選択した設備操作を行うよう構成したので、設備の優先度に基づいてエネルギー消費量を管理することができる。
【００５０】
また、請求項２３に係る発明は、請求項２２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を行う復帰操作手段を更に備えたことを特徴とする。
【００５１】
この請求項２３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を行うよう構成したので、エネルギー消費量を不必要に削減することを防ぐことができる。
【００５２】
また、請求項２４に係る発明は、請求項２１、２２または２３に係る発明において、前記目標パターンに基づく警報値を前記一定期間の警報パターンとして記憶する警報パターン記憶手段を更に備え、前記消費量判定手段は、前記警報パターン記憶手段に警報パターンとして記憶された警報値を用いて実績値が警報値以上であるか否かを判定することを特徴とする。
【００５３】
この請求項２４に係る発明によれば、目標パターンに基づく警報値を一定期間の警報パターンとして記憶し、警報パターンとして記憶した警報値を用いて実績値が警報値以上であるか否かを判定するよう構成したので、実績値が警報値以上であるか否かを簡単に判定することができる。
【００５４】
また、請求項２５に係る発明は、請求項２４に係る発明において、前記警報パターン記憶手段に記憶される警報パターンは、目標パターンを一定の割合だけ増減したものであり、該一定の割合は、エネルギー消費量の実績に基づいて変動することを特徴とする。
【００５５】
この請求項２５に係る発明によれば、記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【００５６】
また、請求項２６に係る発明は、請求項２１〜２５に係る発明において、前記目標パターン記憶手段は、一定期間の累積エネルギー消費量の目標パターンを所定の時間間隔で記憶し、前記消費量判定手段は、実績値が目標パターンに基づく警報値以上であるか否かを前記所定の時間間隔で判定することを特徴とする。
【００５７】
この請求項２６に係る発明によれば、一定期間の累積エネルギー消費量の目標パターンを所定の時間間隔で記憶し、実績値が目標パターンに基づく警報値以上であるか否かを所定の時間間隔で判定するよう構成したので、エネルギー消費量を目標値に沿って確実に制御することができる。
【００５８】
また、請求項２７に係る発明は、請求項２１〜２６に係る発明において、前記目標パターン記憶手段は、１日の累積エネルギー消費量の目標パターンを記憶し、前記消費量判定手段は、１日の開始時点からの施設の累積エネルギー消費量の実績値が、前記目標パターン記憶手段により記憶された目標パターンに基づく警報値以上であるか否かを判定することを特徴とする。
【００５９】
この請求項２７に係る発明によれば、１日の累積エネルギー消費量の目標パターンを記憶し、１日の開始時点からの施設の累積エネルギー消費量の実績値が、記憶した目標パターンに基づく警報値以上であるか否かを判定するよう構成したので、１日単位でエネルギー消費量を管理することができる。
【００６０】
また、請求項２８に係る発明は、請求項２１〜２７に係る発明において、前記目標パターン記憶手段は、過去の実績データまたはシミュレーション結果に基づく目標パターンを記憶することを特徴とする。
【００６１】
この請求項２８に係る発明によれば、過去の実績データまたはシミュレーション結果に基づく目標パターンを記憶するよう構成したので、目標パターンを過去の実績値またはシミュレーション結果を反映させたものとすることができる。
【００６２】
また、請求項２９に係る発明は、請求項２１〜２８に係る発明において、前記目標パターン記憶手段は、エネルギー需要が異なる暖房期、冷房期および中間期にそれぞれ対応して異なる目標パターンを記憶することを特徴とする。
【００６３】
この請求項２９に係る発明によれば、エネルギー需要が異なる暖房期、冷房期および中間期にそれぞれ対応して異なる目標パターンを記憶するよう構成したので、目標パターンをエネルギー需要に適したものにすることができる。
【００６４】
また、請求項３０に係る発明は、請求項２９に係る発明において、前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする。
【００６５】
この請求項３０に係る発明によれば、暖房期、冷房期および中間期の各期をそれぞれ細分した細分期間ごとに目標パターンを記憶し、各細分期間の目標パターンは、細分前の各期の目標パターンを各期および各細分期間の外気温の相違に基づいて補正したものであるよう構成したので、目標パターンをよりエネルギー需要に適したものにすることができる。
【００６６】
また、請求項３１に係る発明は、施設に備えられた設備を監視制御する施設監視制御装置に接続される該施設のエネルギー消費量を管理するエネルギー管理装置であって、前記施設の一定期間の累積エネルギー消費量の目標パターンを記憶した目標パターン記憶手段と、前記施設監視制御装置から前記一定期間の開始時点からの施設の累積エネルギー消費量の実績値を入力する実績値入力手段と、前記実績値入力手段により入力された実績値が、前記目標パターン記憶手段により記憶された目標パターンに基づく警報値以上であるか否かを判定する消費量判定手段と、前記消費量判定手段により実績値が警報値以上であると判定された場合に、前記施設監視制御装置にエネルギー消費量を削減する制御指示を出力する制御指示出力手段と、を備えたことを特徴とする。
【００６７】
この請求項３１に係る発明によれば、施設の一定期間の累積エネルギー消費量の目標パターンを記憶し、施設監視制御装置から一定期間の開始時点からの施設の累積エネルギー消費量の実績値を入力し、入力した実績値が、記憶した目標パターンに基づく警報値以上であるか否かを判定し、実績値が警報値以上であると判定した場合に、施設監視制御装置にエネルギー消費量を削減する制御指示を出力するよう構成したので、エネルギー消費量を目標値に沿って制御することができる。
【００６８】
また、請求項３２に係る発明は、請求項３１に係る発明において、前記施設のエネルギー消費量を減少させる設備操作を操作の優先順位とともに記憶した操作優先順位記憶手段を更に備え、前記制御指示出力手段は、前記操作優先順位記憶手段により記憶された設備操作の中から、実行する設備操作を優先順位に基づいて選択し、該選択した設備操作を前記制御指示として施設監視制御装置に出力することを特徴とする。
【００６９】
この請求項３２に係る発明によれば、施設のエネルギー消費量を減少させる設備操作を操作の優先順位とともに記憶し、記憶した設備操作の中から、実行する設備操作を優先順位に基づいて選択し、選択した設備操作を制御指示として施設監視制御装置に出力するよう構成したので、設備の優先度に基づいてエネルギー消費量を管理することができる。
【００７０】
また、請求項３３に係る発明は、請求項３２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手段を更に備えたことを特徴とする。
【００７１】
この請求項３３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に出力するよう構成したので、エネルギー消費量を不必要に削減することを防ぐことができる。
【００７２】
また、請求項３４に係る発明は、請求項３１、３２または３３に係る発明において、前記目標パターンに基づく警報値を前記一定期間の警報パターンとして記憶する警報パターン記憶手段を更に備え、前記消費量判定手段は、前記警報パターン記憶手段に警報パターンとして記憶された警報値を用いて実績値が警報値以上であるか否かを判定することを特徴とする。
【００７３】
この請求項３４に係る発明によれば、目標パターンに基づく警報値を一定期間の警報パターンとして記憶し、警報パターンとして記憶した警報値を用いて実績値が警報値以上であるか否かを判定するよう構成したので、実績値が警報値以上であるか否かを簡単に判定することができる。
【００７４】
また、請求項３５に係る発明は、請求項３４に係る発明において、前記警報パターン記憶手段に記憶される警報パターンは、目標パターンを一定の割合だけ増減したものであり、該一定の割合は、エネルギー消費量の実績に基づいて変動することを特徴とする。
【００７５】
この請求項３５に係る発明によれば、記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【００７６】
また、請求項３６に係る発明は、請求項３１〜３５に係る発明において、前記目標パターン記憶手段は、一定期間の累積エネルギー消費量の目標パターンを所定の時間間隔で記憶し、前記実績値入力手段は、前記開始時点から所定の時間間隔で実績値を入力し、前記消費量判定手段は、前記実績値入力手段により所定の時間間隔で入力された実績値が、前記目標パターン記憶手段により所定の時間間隔で記憶された目標パターンに基づく警報値以上であるか否かを判定することを特徴とする。
【００７７】
この請求項３６に係る発明によれば、一定期間の累積エネルギー消費量の目標パターンを所定の時間間隔で記憶し、開始時点から所定の時間間隔で実績値を入力し、所定の時間間隔で入力した実績値が、所定の時間間隔で記憶した目標パターンに基づく警報値以上であるか否かを判定するよう構成したので、エネルギー消費量を目標値に沿って確実に制御することができる。
【００７８】
また、請求項３７に係る発明は、請求項３１〜３６に係る発明において、前記目標パターン記憶手段は、１日の累積エネルギー消費量の目標パターンを記憶し、前記実績値入力手段は、前記施設監視制御装置から１日の開始時点からの施設の累積エネルギー消費量の実績値を入力することを特徴とする。
【００７９】
この請求項３７に係る発明によれば、１日の累積エネルギー消費量の目標パターンを記憶し、施設監視制御装置から１日の開始時点からの施設の累積エネルギー消費量の実績値を入力するよう構成したので、１日単位でエネルギー消費量を管理することができる。
【００８０】
また、請求項３８に係る発明は、請求項３１〜３７に係る発明において、前記目標パターン記憶手段は、過去の実績データまたはシミュレーション結果に基づく目標パターンを記憶することを特徴とする。
【００８１】
この請求項３８に係る発明によれば、過去の実績データまたはシミュレーション結果に基づく目標パターンを記憶するよう構成したので、目標パターンを過去の実績値またはシミュレーション結果を反映させたものとすることができる。
【００８２】
また、請求項３９に係る発明は、請求項３１〜３８に係る発明において、前記目標パターン記憶手段は、エネルギー需要が異なる暖房期、冷房期および中間期にそれぞれ対応して異なる目標パターンを記憶することを特徴とする。
【００８３】
この請求項３９に係る発明によれば、エネルギー需要が異なる暖房期、冷房期および中間期にそれぞれ対応して異なる目標パターンを記憶するよう構成したので、目標パターンをエネルギー需要に適したものにすることができる。
【００８４】
また、請求項４０に係る発明は、請求項３９に係る発明において、前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする。
【００８５】
この請求項４０に係る発明によれば、暖房期、冷房期および中間期の各期をそれぞれ細分した細分期間ごとに目標パターンを記憶し、各細分期間の目標パターンは、細分前の各期の目標パターンを各期および各細分期間の外気温の相違に基づいて補正したものであるよう構成したので、目標パターンをよりエネルギー需要に適したものにすることができる。
【００８６】
また、請求項４１に係る発明は、施設に備えられた設備を監視制御する施設監視制御装置に接続される該施設のエネルギー消費量を管理するエネルギー管理装置であって、前記施設の一定期間の累積エネルギー消費量の目標パターンを記憶した目標パターン記憶手段と、前記施設監視制御装置から施設のエネルギー消費量についての実績データを入力する実績データ入力手段と、前記実績データ入力手段により入力された実績データに基づいて前記一定期間の開始時点からの施設の累積エネルギー消費量の実績値を算出する算出手段と、前記算出手段により算出された実績値が、前記目標パターン記憶手段により記憶された目標パターンに基づく警報値以上であるか否かを判定する消費量判定手段と、前記消費量判定手段により実績値が警報値以上であると判定された場合に、前記施設監視制御装置にエネルギー消費量を削減する制御指示を出力する制御指示出力手段と、を備えたことを特徴とする。
【００８７】
この請求項４１に係る発明によれば、施設の一定期間の累積エネルギー消費量の目標パターンを記憶し、施設監視制御装置から施設のエネルギー消費量についての実績データを入力し、入力した実績データに基づいて一定期間の開始時点からの施設の累積エネルギー消費量の実績値を算出し、算出した実績値が、記憶した目標パターンに基づく警報値以上であるか否かを判定し、実績値が警報値以上であると判定した場合に、施設監視制御装置にエネルギー消費量を削減する制御指示を出力するよう構成したので、エネルギー消費量を目標値に沿って制御することができる。
【００８８】
また、請求項４２に係る発明は、請求項４１に係る発明において、前記施設のエネルギー消費量を減少させる設備操作を操作の優先順位とともに記憶した操作優先順位記憶手段を更に備え、前記制御指示送信手段は、前記操作優先順位記憶手段により記憶された設備操作の中から、実行する設備操作を優先順位に基づいて選択し、該選択した設備操作を前記制御指示として施設監視制御装置に出力することを特徴とする。
【００８９】
この請求項４２に係る発明によれば、施設のエネルギー消費量を減少させる設備操作を操作の優先順位とともに記憶し、記憶した設備操作の中から、実行する設備操作を優先順位に基づいて選択し、選択した設備操作を制御指示として施設監視制御装置に出力するよう構成したので、設備の優先度に基づいてエネルギー消費量を管理することができる。
【００９０】
また、請求項４３に係る発明は、請求項４２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手段を更に備えたことを特徴とする。
【００９１】
この請求項４３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に出力するよう構成したので、エネルギー消費量を不必要に削減することを防ぐことができる。
【００９２】
また、請求項４４に係る発明は、請求項４１、４２または４３に係る発明において、前記目標パターンに基づく警報値を前記一定期間の警報パターンとして記憶する警報パターン記憶手段を更に備え、前記消費量判定手段は、前記警報パターン記憶手段に警報パターンとして記憶された警報値を用いて実績値が警報値以上であるか否かを判定することを特徴とする。
【００９３】
この請求項４４に係る発明によれば、目標パターンに基づく警報値を一定期間の警報パターンとして記憶し、警報パターンとして記憶した警報値を用いて実績値が警報値以上であるか否かを判定するよう構成したので、実績値が警報値以上であるか否かを簡単に判定することができる。
【００９４】
また、請求項４５に係る発明は、請求項４４に係る発明において、前記警報パターン記憶手段に記憶される警報パターンは、目標パターンを一定の割合だけ増減したものであり、該一定の割合は、エネルギー消費量の実績に基づいて変動することを特徴とする。
【００９５】
この請求項４５に係る発明によれば、記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【００９６】
また、請求項４６に係る発明は、請求項４１〜４５に係る発明において、前記目標パターン記憶手段は、一定期間の累積エネルギー消費量の目標パターンを所定の時間間隔で記憶し、前記実績データ入力手段は、前記開始時点から所定の時間間隔で実績データを入力し、前記算出手段は、前記実績データ受入力手段により所定の時間間隔で入力された実績データに基づいて前記一定期間の開始時点からの施設の累積エネルギー消費量の実績値を該所定の時間間隔で算出し、前記消費量判定手段は、前記算出手段により所定の時間間隔で算出された実績値が、前記目標パターン記憶手段により所定の時間間隔で記憶された目標パターンに基づく警報値以上であるか否かを判定することを特徴とする。
【００９７】
この請求項４６に係る発明によれば、一定期間の累積エネルギー消費量の目標パターンを所定の時間間隔で記憶し、一定期間の開始時点から所定の時間間隔で実績データを入力し、所定の時間間隔で入力した実績データに基づいて一定期間の開始時点からの施設の累積エネルギー消費量の実績値を所定の時間間隔で算出し、所定の時間間隔で算出した実績値が、所定の時間間隔で記憶した目標パターンに基づく警報値以上であるか否かを判定するよう構成したので、エネルギー消費量を目標値に沿って確実に制御することができる。
【００９８】
また、請求項４７に係る発明は、請求項４１〜４６に係る発明において、前記目標パターン記憶手段は、１日の累積エネルギー消費量の目標パターンを記憶し、前記算出手段は、前記実績データ入力手段により入力された実績データに基づいて１日の開始時点からの施設の累積エネルギー消費量の実績値を算出することを特徴とする。
【００９９】
この請求項４７に係る発明によれば、１日の累積エネルギー消費量の目標パターンを記憶し、入力した実績データに基づいて１日の開始時点からの施設の累積エネルギー消費量の実績値を算出するよう構成したので、１日単位でエネルギー消費量を管理することができる。
【０１００】
また、請求項４８に係る発明は、請求項４１〜４７に係る発明において、前記目標パターン記憶手段は、過去の実績データまたはシミュレーション結果に基づく目標パターンを記憶することを特徴とする。
【０１０１】
この請求項４８に係る発明によれば、過去の実績データまたはシミュレーション結果に基づく目標パターンを記憶するよう構成したので、目標パターンを過去の実績値またはシミュレーション結果を反映させたものとすることができる。
【０１０２】
また、請求項４９に係る発明は、請求項４１〜４８に係る発明において、前記目標パターン記憶手段は、エネルギー需要が異なる暖房期、冷房期および中間期にそれぞれ対応して異なる目標パターンを記憶することを特徴とする。
【０１０３】
この請求項４９に係る発明によれば、エネルギー需要が異なる暖房期、冷房期および中間期にそれぞれ対応して異なる目標パターンを記憶することとしたので、目標パターンをエネルギー需要に適したものにすることができる。
【０１０４】
また、請求項５０に係る発明は、請求項４９に係る発明において、前記目標パターン記憶手段は、前記暖房期、冷房期および中間期の各期をそれぞれ細分した細分期間ごとに目標パターンを記憶し、各細分期間の目標パターンは、細分前の該各期の目標パターンを該各期および該各細分期間の外気温の相違に基づいて補正したものであることを特徴とする。
【０１０５】
この請求項５０に係る発明によれば、暖房期、冷房期および中間期の各期をそれぞれ細分した細分期間ごとに目標パターンを記憶し、各細分期間の目標パターンは、細分前の各期の目標パターンを各期および各細分期間の外気温の相違に基づいて補正したものであるよう構成したので、目標パターンをよりエネルギー需要に適したものにすることができる。
【０１０６】
また、請求項５１に係る発明は、施設に備えられた設備を監視制御する施設監視制御装置とネットワークを介して接続されるコンピュータで実行され、該施設のエネルギー消費量を管理するエネルギー管理プログラムであって、前記施設監視制御装置から一定期間の開始時点からの施設の累積エネルギー消費量の実績値を受信する実績値受信手順と、前記実績値受信手順により受信された実績値が、前記一定期間の施設の累積エネルギー消費量の目標パターンに基づく警報値以上であるか否かを判定する消費量判定手順と、前記消費量判定手順により実績値が警報値以上であると判定された場合に、前記施設監視制御装置にエネルギー消費量を削減する制御指示を送信する制御指示送信手順と、をコンピュータに実行させることを特徴とする。
【０１０７】
この請求項５１に係る発明によれば、施設監視制御装置から一定期間の開始時点からの施設の累積エネルギー消費量の実績値を受信し、受信した実績値が、一定期間の施設の累積エネルギー消費量の目標パターンに基づく警報値以上であるか否かを判定し、実績値が警報値以上であると判定した場合に、施設監視制御装置にエネルギー消費量を削減する制御指示を送信するよう構成したので、エネルギー消費量を目標値に沿って制御することができる。
【０１０８】
また、請求項５２に係る発明は、請求項５１に係る発明において、前記施設のエネルギー消費量を減少させる設備操作を操作の優先順位とともに記憶した記憶装置から、実行する設備操作を優先順位に基づいて読み出す設備操作読出し手順を更にコンピュータに実行させ、前記制御指示送信手順は、前記設備操作読出し手順により読み出された設備操作を前記制御指示として施設監視制御装置に送信することを特徴とする。
【０１０９】
この請求項５２に係る発明によれば、施設のエネルギー消費量を減少させる設備操作を操作の優先順位とともに記憶した記憶装置から、実行する設備操作を優先順位に基づいて読み出し、読み出した設備操作を前記制御指示として施設監視制御装置に送信するよう構成したので、設備の優先度に基づいてエネルギー消費量を削減することができる。
【０１１０】
また、請求項５３に係る発明は、請求項５２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手順を更にコンピュータに実行させることを特徴とする。
【０１１１】
この請求項５３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に送信するよう構成したので、エネルギー消費量を不必要に削減することを防ぐことができる。
【０１１２】
また、請求項５４に係る発明は、請求項５１、５２または５３に係る発明において、前記消費量判定手順は、前記目標パターンに基づく警報値を前記一定期間の警報パターンとして記憶する記憶装置から読み出して実績値が警報値以上であるか否かを判定することを特徴とする。
【０１１３】
この請求項５４に係る発明によれば、目標パターンに基づく警報値を一定期間の警報パターンとして記憶する記憶装置から読み出して実績値が警報値以上であるか否かを判定するよう構成したので、実績値が警報値以上であるか否かを簡単に判定することができる。
【０１１４】
また、請求項５５に係る発明は、請求項５４に係る発明において、前記記憶装置に記憶される警報パターンは、目標パターンを一定の割合だけ増減したものであり、該一定の割合は、エネルギー消費量の実績に基づいて変動することを特徴とする。
【０１１５】
この請求項５５に係る発明によれば、記憶装置に記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【０１１６】
また、請求項５６に係る発明は、請求項５１〜５５に係る発明において、前記実績値受信手順は、前記開始時点から所定の時間間隔で実績値を受信し、前記消費量判定手順は、前記実績値受信手順により所定の時間間隔で受信された実績値が、一定期間の累積エネルギー消費量の目標パターンに基づく警報値以上であるか否かを所定の時間間隔で判定することを特徴とする。
【０１１７】
この請求項５６に係る発明によれば、開始時点から所定の時間間隔で実績値を受信し、所定の時間間隔で受信した実績値が、一定期間の累積エネルギー消費量の目標パターンに基づく警報値以上であるか否かを所定の時間間隔で判定するよう構成したので、エネルギー消費量を目標値に沿って確実に制御することができる。
【０１１８】
また、請求項５７に係る発明は、請求項５１〜５６に係る発明において、前記実績値受信手順は、前記施設監視制御装置から１日の開始時点からの施設の累積エネルギー消費量の実績値を受信し、前記消費量判定手順は、前記実績値受信手順により受信された実績値が、１日の施設の累積エネルギー消費量の目標パターンに基づく警報値以上であるか否かを判定することを特徴とする。
【０１１９】
この請求項５７に係る発明によれば、施設監視制御装置から１日の開始時点からの施設の累積エネルギー消費量の実績値を受信し、受信した実績値が、１日の施設の累積エネルギー消費量の目標パターンに基づく警報値以上であるか否かを判定するよう構成したので、１日単位でエネルギー消費量を管理することができる。
【０１２０】
また、請求項５８に係る発明は、請求項５１〜５７に係る発明において、前記目標パターンは、過去の実績データまたはシミュレーション結果に基づくものであることを特徴とする。
【０１２１】
この請求項５８に係る発明によれば、目標パターンは、過去の実績データまたはシミュレーション結果に基づくものであるよう構成したので、目標パターンを過去の実績値またはシミュレーション結果を反映させたものとすることができる。
【０１２２】
また、請求項５９に係る発明は、請求項５１〜５８に係る発明において、前記目標パターンは、エネルギー需要が異なる暖房期、冷房期および中間期にそれぞれ対応して異なる目標パターンであることを特徴とする。
【０１２３】
この請求項５９に係る発明によれば、目標パターンは、エネルギー需要が異なる暖房期、冷房期および中間期にそれぞれ対応して異なる目標パターンであるよう構成したので、目標パターンをエネルギー需要に適したものにすることができる。
【０１２４】
また、請求項６０に係る発明は、請求項５９に係る発明において、前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする。
【０１２５】
この請求項６０に係る発明によれば、目標パターンは、暖房期、冷房期および中間期の各期をそれぞれ細分した細分期間ごとの目標パターンであり、各細分期間の目標パターンは、細分前の各期の目標パターンを各期および各細分期間の外気温の相違に基づいて補正したものであるよう構成したので、目標パターンをよりエネルギー需要に適したものにすることができる。
【０１２６】
また、請求項６１に係る発明は、施設に備えられた設備を監視制御する施設監視制御装置とネットワークを介して接続されるコンピュータで実行され、該施設のエネルギー消費量を管理するエネルギー管理プログラムであって、前記施設監視制御装置から施設のエネルギー消費量についての実績データを受信する実績データ受信手順と、前記実績データ受信手順により受信された実績データに基づいて一定期間の開始時点からの施設の累積エネルギー消費量の実績値を算出する算出手順と、前記算出手順により算出された実績値が、前記一定期間の施設の累積エネルギー消費量の目標パターンに基づく警報値以上であるか否かを判定する消費量判定手順と、前記消費量判定手順により実績値が警報値以上であると判定された場合に、前記施設監視制御装置にエネルギー消費量を削減する制御指示を送信する制御指示送信手順と、をコンピュータに実行させることを特徴とする。
【０１２７】
この請求項６１に係る発明によれば、施設監視制御装置から施設のエネルギー消費量についての実績データを受信し、受信した実績データに基づいて一定期間の開始時点からの施設の累積エネルギー消費量の実績値を算出し、算出した実績値が、一定期間の施設の累積エネルギー消費量の目標パターンに基づく警報値以上であるか否かを判定し、実績値が警報値以上であると判定した場合に、施設監視制御装置にエネルギー消費量を削減する制御指示を送信するよう構成したので、エネルギー消費量を目標値に沿って制御することができる。
【０１２８】
また、請求項６２に係る発明は、請求項６１に係る発明において、前記施設のエネルギー消費量を減少させる設備操作を操作の優先順位とともに記憶した記憶装置から、実行する設備操作を優先順位に基づいて読み出す設備操作読出し手順を更にコンピュータに実行させ、前記制御指示送信手順は、前記設備操作読出し手順により読み出された設備操作を前記制御指示として施設監視制御装置に送信することを特徴とする。
【０１２９】
この請求項６２に係る発明によれば、施設のエネルギー消費量を減少させる設備操作を操作の優先順位とともに記憶した記憶装置から、実行する設備操作を優先順位に基づいて読み出し、読み出した設備操作を制御指示として施設監視制御装置に送信するよう構成したので、設備の優先度に基づいてエネルギー消費量を管理することができる。
【０１３０】
また、請求項６３に係る発明は、請求項６２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に送信する復帰指示送信手順を更にコンピュータに実行させることを特徴とする。
【０１３１】
この請求項６３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に送信するよう構成したので、エネルギー消費量を不必要に削減することを防ぐことができる。
【０１３２】
また、請求項６４に係る発明は、請求項６１、６２または６３に係る発明において、前記消費量判定手順は、前記目標パターンに基づく警報値を前記一定期間の警報パターンとして記憶する記憶装置から読み出して実績値が警報値以上であるか否かを判定することを特徴とする。
【０１３３】
この請求項６４に係る発明によれば、目標パターンに基づく警報値を一定期間の警報パターンとして記憶する記憶装置から読み出して実績値が警報値以上であるか否かを判定するよう構成したので、実績値が警報値以上であるか否かを簡単に判定することができる。
【０１３４】
また、請求項６５に係る発明は、請求項６４に係る発明において、前記記憶装置に記憶される警報パターンは、目標パターンを一定の割合だけ増減したものであり、該一定の割合は、エネルギー消費量の実績に基づいて変動することを特徴とする。
【０１３５】
この請求項６５に係る発明によれば、記憶装置に記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【０１３６】
また、請求項６６に係る発明は、請求項６１〜６５に係る発明において、前記実績データ受信手順は、前記開始時点から所定の時間間隔で実績データを受信し、前記算出手順は、前記実績データ受信手順により所定の時間間隔で受信された実績データに基づいて前記一定期間の開始時点からの施設の累積エネルギー消費量の実績値を該所定の間隔で算出し、前記消費量判定手順は、前記算出手順により所定の時間間隔で算出された実績値が、前記一定期間の累積エネルギー消費量の目標パターンに基づく警報値以上であるか否かを所定の時間間隔で判定することを特徴とする。
【０１３７】
この請求項６６に係る発明によれば、開始時点から所定の時間間隔で実績データを受信し、所定の時間間隔で受信した実績データに基づいて一定期間の開始時点からの施設の累積エネルギー消費量の実績値を所定の間隔で算出し、所定の時間間隔で算出した実績値が、一定期間の累積エネルギー消費量の目標パターンに基づく警報値以上であるか否かを所定の時間間隔で判定するよう構成したので、エネルギー消費量を目標値に沿って確実に制御することができる。
【０１３８】
また、請求項６７に係る発明は、請求項６１〜６６に係る発明において、前記算出手順は、前記実績データ受信手順により受信された実績データに基づいて１日の開始時点からの施設の累積エネルギー消費量の実績値を算出し、前記消費量判定手順は、前記算出手順により算出された実績値が１日の施設の累積エネルギー消費量の目標パターンに基づく警報値以上であるか否かを判定することを特徴とする。
【０１３９】
この請求項６７に係る発明によれば、受信した実績データに基づいて１日の開始時点からの施設の累積エネルギー消費量の実績値を算出し、算出した実績値が１日の施設の累積エネルギー消費量の目標パターンに基づく警報値以上であるか否かを判定するよう構成したので、１日単位でエネルギー消費量を管理することができる。
【０１４０】
また、請求項６８に係る発明は、請求項６１〜６７に係る発明において、前記目標パターンは、過去の実績データまたはシミュレーション結果に基づくものであることを特徴とする。
【０１４１】
この請求項６８に係る発明によれば、目標パターンは、過去の実績データまたはシミュレーション結果に基づくものであるよう構成したので、目標パターンを過去の実績値またはシミュレーション結果を反映させたものとすることができる。
【０１４２】
また、請求項６９に係る発明は、請求項６１〜６８に係る発明において、前記目標パターンは、エネルギー需要が異なる暖房期、冷房期および中間期にそれぞれ対応して異なる目標パターンであることを特徴とする。
【０１４３】
この請求項６９に係る発明によれば、目標パターンは、エネルギー需要が異なる暖房期、冷房期および中間期にそれぞれ対応して異なる目標パターンであるよう構成したので、目標パターンをエネルギー需要に適したものにすることができる。
【０１４４】
また、請求項７０に係る発明は、請求項６９に係る発明において、前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする。
【０１４５】
この請求項７０に係る発明によれば、目標パターンは、暖房期、冷房期および中間期の各期をそれぞれ細分した細分期間ごとの目標パターンであり、各細分期間の目標パターンは、細分前の各期の目標パターンを各期および各細分期間の外気温の相違に基づいて補正したものであるよう構成したので、目標パターンをよりエネルギー需要に適したものにすることができる。
【０１４６】
また、請求項７１に係る発明は、施設に備えられた設備を監視制御する施設監視制御プログラムであって、前記施設の一定期間の開始時点からの累積エネルギー消費量の実績値が、該一定期間の累積エネルギー消費量の目標パターンに基づく警報値以上であるか否かを判定する消費量判定手順と、前記消費量判定手順により実績値が警報値以上であると判定された場合に、エネルギー消費量を削減する操作を設備に対して行う設備操作手順と、をコンピュータに実行させることを特徴とする。
【０１４７】
この請求項７１に係る発明によれば、施設の一定期間の開始時点からの累積エネルギー消費量の実績値が、一定期間の累積エネルギー消費量の目標パターンに基づく警報値以上であるか否かを判定し、実績値が警報値以上であると判定した場合に、エネルギー消費量を削減する操作を設備に対して行うよう構成したので、エネルギー消費量を目標値に沿って制御することができる。
【０１４８】
また、請求項７２に係る発明は、請求項７１に係る発明において、前記施設のエネルギー消費量を減少させる設備操作を操作の優先順位とともに記憶した記憶装置から、実行する設備操作を優先順位に基づいて読み出す設備操作読出し手順を更にコンピュータに実行させ、前記設備操作手順は、前記設備操作読出し手順により読み出された設備操作を行うことを特徴とする。
【０１４９】
この請求項７２に係る発明によれば、施設のエネルギー消費量を減少させる設備操作を操作の優先順位とともに記憶した記憶装置から、実行する設備操作を優先順位に基づいて読み出し、読み出した設備操作を行うよう構成したので、設備の優先度に基づいてエネルギー消費量を管理することができる。
【０１５０】
また、請求項７３に係る発明は、請求項７２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を行う復帰操作手順を更にコンピュータに実行させることを特徴とする。
【０１５１】
この請求項７３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を行うよう構成したので、エネルギー消費量を不必要に削減することを防ぐことができる。
【０１５２】
また、請求項７４に係る発明は、請求項７１、７２または７３に係る発明において、前記消費量判定手順は、前記目標パターンに基づく警報値を前記一定期間の警報パターンとして記憶する記憶装置から読み出して実績値が警報値以上であるか否かを判定することを特徴とする。
【０１５３】
この請求項７４に係る発明によれば、目標パターンに基づく警報値を一定期間の警報パターンとして記憶する記憶装置から読み出して実績値が警報値以上であるか否かを判定するよう構成したので、実績値が警報値以上であるか否かを簡単に判定することができる。
【０１５４】
また、請求項７５に係る発明は、請求項７４に係る発明において、前記記憶装置に記憶される警報パターンは、目標パターンを一定の割合だけ増減したものであり、該一定の割合は、エネルギー消費量の実績に基づいて変動することを特徴とする。
【０１５５】
この請求項７５に係る発明によれば、記憶装置に記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【０１５６】
また、請求項７６に係る発明は、請求項７１〜７５に係る発明において、前記消費量判定手順は、前記施設の一定期間の開始時点からの累積エネルギー消費量の実績値が、該一定期間の累積エネルギー消費量の目標パターンに基づく警報値以上であるか否かを所定の時間間隔で判定することを特徴とする。
【０１５７】
この請求項７６に係る発明によれば、施設の一定期間の開始時点からの累積エネルギー消費量の実績値が、一定期間の累積エネルギー消費量の目標パターンに基づく警報値以上であるか否かを所定の時間間隔で判定するよう構成したので、エネルギー消費量を目標値に沿って確実に制御することができる。
【０１５８】
また、請求項７７に係る発明は、請求項７１〜７６に係る発明において、前記消費量判定手順は、前記施設の１日の開始時点からの累積エネルギー消費量の実績値が、該施設の１日の累積エネルギー消費量の目標パターンに基づく警報値以上であるか否かを判定することを特徴とする。
【０１５９】
この請求項７７に係る発明によれば、施設の１日の開始時点からの累積エネルギー消費量の実績値が、施設の１日の累積エネルギー消費量の目標パターンに基づく警報値以上であるか否かを判定するよう構成したので、１日単位でエネルギー消費量を管理することができる。
【０１６０】
また、請求項７８に係る発明は、請求項７１〜７７に係る発明において、前記目標パターンは、過去の実績データまたはシミュレーション結果に基づくものであることを特徴とする。
【０１６１】
この請求項７８に係る発明によれば、目標パターンは、過去の実績データまたはシミュレーション結果に基づくものであるよう構成したので、目標パターンを過去の実績値またはシミュレーション結果を反映させたものとすることができる。
【０１６２】
また、請求項７９に係る発明は、請求項７１〜７８に係る発明において、前記目標パターンは、エネルギー需要が異なる暖房期、冷房期および中間期にそれぞれ対応して異なる目標パターンであることを特徴とする。
【０１６３】
この請求項７９に係る発明によれば、目標パターンは、エネルギー需要が異なる暖房期、冷房期および中間期にそれぞれ対応して異なる目標パターンであるよう構成したので、目標パターンをエネルギー需要に適したものにすることができる。
【０１６４】
また、請求項８０に係る発明は、請求項７９に係る発明において、前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする。
【０１６５】
この請求項８０に係る発明によれば、目標パターンは、暖房期、冷房期および中間期の各期をそれぞれ細分した細分期間ごとの目標パターンであり、各細分期間の目標パターンは、細分前の各期の目標パターンを各期および各細分期間の外気温の相違に基づいて補正したものであるよう構成したので、目標パターンをよりエネルギー需要に適したものにすることができる。
【０１６６】
また、請求項８１に係る発明は、施設に備えられた設備を監視制御する施設監視制御装置に接続される該施設のエネルギー消費量を管理するエネルギー管理装置に搭載されるエネルギー管理プログラムであって、前記施設監視制御装置から一定期間の開始時点からの施設の累積エネルギー消費量の実績値を入力する実績値入力手順と、前記実績値入力手順により入力された実績値が、前記一定期間の施設の累積エネルギー消費量の目標パターンに基づく警報値以上であるか否かを判定する消費量判定手順と、前記消費量判定手順により実績値が警報値以上であると判定された場合に、前記施設監視制御装置にエネルギー消費量を削減する制御指示を出力する制御指示出力手順と、をコンピュータに実行させることを特徴とする。
【０１６７】
この請求項８１に係る発明によれば、施設監視制御装置から一定期間の開始時点からの施設の累積エネルギー消費量の実績値を入力し、入力した実績値が、一定期間の施設の累積エネルギー消費量の目標パターンに基づく警報値以上であるか否かを判定し、実績値が警報値以上であると判定した場合に、施設監視制御装置にエネルギー消費量を削減する制御指示を出力するよう構成したので、エネルギー消費量を目標値に沿って制御することができる。
【０１６８】
また、請求項８２に係る発明は、請求項８１に係る発明において、前記施設のエネルギー消費量を減少させる設備操作を操作の優先順位とともに記憶した記憶装置から、実行する設備操作を優先順位に基づいて読み出す設備操作読出し手順を更にコンピュータに実行させ、前記制御指示出力手順は、前記設備操作読出し手順により読み出された設備操作を前記制御指示として施設監視制御装置に出力することを特徴とする。
【０１６９】
この請求項８２に係る発明によれば、施設のエネルギー消費量を減少させる設備操作を操作の優先順位とともに記憶した記憶装置から、実行する設備操作を優先順位に基づいて読み出し、読み出した設備操作を制御指示として施設監視制御装置に出力するよう構成したので、設備の優先度に基づいてエネルギー消費量を管理することができる。
【０１７０】
また、請求項８３に係る発明は、請求項８２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手順を更にコンピュータに実行させることを特徴とする。
【０１７１】
この請求項８３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に出力するよう構成したので、エネルギー消費量を不必要に削減することを防ぐことができる。
【０１７２】
また、請求項８４に係る発明は、請求項８１、８２または８３に係る発明において、前記消費量判定手順は、前記目標パターンに基づく警報値を前記一定期間の警報パターンとして記憶する記憶装置から読み出して実績値が警報値以上であるか否かを判定することを特徴とする。
【０１７３】
この請求項８４に係る発明によれば、目標パターンに基づく警報値を一定期間の警報パターンとして記憶する記憶装置から読み出して実績値が警報値以上であるか否かを判定するよう構成したので、実績値が警報値以上であるか否かを簡単に判定することができる。
【０１７４】
また、請求項８５に係る発明は、請求項８４に係る発明において、前記記憶装置に記憶される警報パターンは、目標パターンを一定の割合だけ増減したものであり、該一定の割合は、エネルギー消費量の実績に基づいて変動することを特徴とする。
【０１７５】
この請求項８５に係る発明によれば、記憶装置に記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【０１７６】
また、請求項８６に係る発明は、請求項８１〜８５に係る発明において、前記実績値入力手順は、前記開始時点から所定の時間間隔で実績値を入力し、前記消費量判定手順は、前記実績値受信手順により所定の時間間隔で入力された実績値が、一定期間の累積エネルギー消費量の目標パターンに基づく警報値以上であるか否かを所定の時間間隔で判定することを特徴とする。
【０１７７】
この請求項８６に係る発明によれば、開始時点から所定の時間間隔で実績値を入力し、所定の時間間隔で入力した実績値が、一定期間の累積エネルギー消費量の目標パターンに基づく警報値以上であるか否かを所定の時間間隔で判定するよう構成したので、エネルギー消費量を目標値に沿って確実に制御することができる。
【０１７８】
また、請求項８７に係る発明は、請求項８１〜８６に係る発明において、前記実績値入力手順は、前記施設監視制御装置から１日の開始時点からの施設の累積エネルギー消費量の実績値を入力し、前記消費量判定手順は、前記実績値入力手順により入力された実績値が、１日の施設の累積エネルギー消費量の目標パターンに基づく警報値以上であるか否かを判定することを特徴とする。
【０１７９】
この請求項８７に係る発明によれば、施設監視制御装置から１日の開始時点からの施設の累積エネルギー消費量の実績値を入力し、入力した実績値が、１日の施設の累積エネルギー消費量の目標パターンに基づく警報値以上であるか否かを判定するよう構成したので、１日単位でエネルギー消費量を管理することができる。
【０１８０】
また、請求項８８に係る発明は、請求項８１〜８７に係る発明において、前記目標パターンは、過去の実績データまたはシミュレーション結果に基づくものであることを特徴とする。
【０１８１】
この請求項８８に係る発明によれば、目標パターンは、過去の実績データまたはシミュレーション結果に基づくものであるよう構成したので、目標パターンを過去の実績値またはシミュレーション結果を反映させたものとすることができる。
【０１８２】
また、請求項８９に係る発明は、請求項８１〜８８に係る発明において、前記目標パターンは、エネルギー需要が異なる暖房期、冷房期および中間期にそれぞれ対応して異なる目標パターンであることを特徴とする。
【０１８３】
この請求項８９に係る発明によれば、目標パターンは、エネルギー需要が異なる暖房期、冷房期および中間期にそれぞれ対応して異なる目標パターンであるよう構成したので、目標パターンをエネルギー需要に適したものにすることができる。
【０１８４】
また、請求項９０に係る発明は、請求項８９に係る発明において、前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする。
【０１８５】
この請求項９０に係る発明によれば、目標パターンは、暖房期、冷房期および中間期の各期をそれぞれ細分した細分期間ごとの目標パターンであり、各細分期間の目標パターンは、細分前の各期の目標パターンを各期および各細分期間の外気温の相違に基づいて補正したものであるよう構成したので、目標パターンをよりエネルギー需要に適したものにすることができる。
【０１８６】
また、請求項９１に係る発明は、施設に備えられた設備を監視制御する施設監視制御装置に接続される該施設のエネルギー消費量を管理するエネルギー管理装置に搭載されるエネルギー管理プログラムであって、前記施設監視制御装置から施設のエネルギー消費量についての実績データを入力する実績データ入力手順と、前記実績データ入力手順により入力された実績データに基づいて一定期間の開始時点からの施設の累積エネルギー消費量の実績値を算出する算出手順と、前記算出手順により算出された実績値が、前記一定期間の施設の累積エネルギー消費量の目標パターンに基づく警報値以上であるか否かを判定する消費量判定手順と、前記消費量判定手順により実績値が警報値以上であると判定された場合に、前記施設監視制御装置にエネルギー消費量を削減する制御指示を出力する制御指示出力手順と、をコンピュータに実行させることを特徴とする。
【０１８７】
この請求項９１に係る発明によれば、施設監視制御装置から施設のエネルギー消費量についての実績データを入力し、入力した実績データに基づいて一定期間の開始時点からの施設の累積エネルギー消費量の実績値を算出し、算出した実績値が、一定期間の施設の累積エネルギー消費量の目標パターンに基づく警報値以上であるか否かを判定し、実績値が警報値以上であると判定した場合に、施設監視制御装置にエネルギー消費量を削減する制御指示を出力するよう構成したので、エネルギー消費量を目標値に沿って制御することができる。
【０１８８】
また、請求項９２に係る発明は、請求項９１に係る発明において、前記施設のエネルギー消費量を減少させる設備操作を操作の優先順位とともに記憶した記憶装置から、実行する設備操作を優先順位に基づいて読み出す設備操作読出し手順を更にコンピュータに実行させ、前記制御指示出力手順は、前記設備操作読出し手順により読み出された設備操作を前記制御指示として施設監視制御装置に出力することを特徴とする。
【０１８９】
この請求項９２に係る発明によれば、施設のエネルギー消費量を減少させる設備操作を操作の優先順位とともに記憶した記憶装置から、実行する設備操作を優先順位に基づいて読み出し、読み出した設備操作を制御指示として施設監視制御装置に出力するよう構成したので、設備の優先度に基づいてエネルギー消費量を管理することができる。
【０１９０】
また、請求項９３に係る発明は、請求項９２に係る発明において、警報値以上になった累積エネルギー消費量の実績値が前記設備操作によって警報値より少なくなったか否かを所定の時間経過後に判定し、警報値より少なくなった場合に該設備操作を元に戻す復帰操作を前記施設監視制御装置に出力する復帰指示出力手順を更にコンピュータに実行させることを特徴とする。
【０１９１】
この請求項９３に係る発明によれば、警報値以上になった累積エネルギー消費量の実績値が設備操作によって警報値より少なくなったか否かを所定の時間経過後に判定し、警報値より少なくなった場合に設備操作を元に戻す復帰操作を施設監視制御装置に出力するよう構成したので、エネルギー消費量を不必要に削減することを防ぐことができる。
【０１９２】
また、請求項９４に係る発明は、請求項９１、９２または９３に係る発明において、前記消費量判定手順は、前記目標パターンに基づく警報値を前記一定期間の警報パターンとして記憶する記憶装置から読み出して実績値が警報値以上であるか否かを判定することを特徴とする。
【０１９３】
この請求項９４に係る発明によれば、目標パターンに基づく警報値を一定期間の警報パターンとして記憶する記憶装置から読み出して実績値が警報値以上であるか否かを判定するよう構成したので、実績値が警報値以上であるか否かを簡単に判定することができる。
【０１９４】
また、請求項９５に係る発明は、請求項９４に係る発明において、前記記憶装置に記憶される警報パターンは、目標パターンを一定の割合だけ増減したものであり、該一定の割合は、エネルギー消費量の実績に基づいて変動することを特徴とする。
【０１９５】
この請求項９５に係る発明によれば、記憶装置に記憶する警報パターンは、目標パターンを一定の割合だけ増減したものであり、この一定の割合は、エネルギー消費量の実績に基づいて変動するよう構成したので、エネルギー消費量の実績に基づいて制御を調整することができる。
【０１９６】
また、請求項９６に係る発明は、請求項９１〜９５に係る発明において、前記実績データ入力手順は、前記開始時点から所定の時間間隔で実績データを入力し、前記算出手順は、前記実績データ入力手順により所定の時間間隔で入力された実績データに基づいて前記一定期間の開始時点からの施設の累積エネルギー消費量の実績値を該所定の間隔で算出し、前記消費量判定手順は、前記算出手順により所定の時間間隔で算出された実績値が、前記一定期間の累積エネルギー消費量の目標パターンに基づく警報値以上であるか否かを所定の時間間隔で判定することを特徴とする。
【０１９７】
この請求項９６に係る発明によれば、開始時点から所定の時間間隔で実績データを入力し、所定の時間間隔で入力した実績データに基づいて一定期間の開始時点からの施設の累積エネルギー消費量の実績値を所定の間隔で算出し、所定の時間間隔で算出した実績値が、一定期間の累積エネルギー消費量の目標パターンに基づく警報値以上であるか否かを所定の時間間隔で判定するよう構成したので、エネルギー消費量を目標値に沿って確実に制御することができる。
【０１９８】
また、請求項９７に係る発明は、請求項９１〜９６に係る発明において、前記算出手順は、前記実績データ入力手順により入力された実績データに基づいて１日の開始時点からの施設の累積エネルギー消費量の実績値を算出し、前記消費量判定手順は、前記算出手順により算出された実績値が１日の施設の累積エネルギー消費量の目標パターンに基づく警報値以上であるか否かを判定することを特徴とする。
【０１９９】
この請求項９７に係る発明によれば、入力した実績データに基づいて１日の開始時点からの施設の累積エネルギー消費量の実績値を算出し、算出した実績値が１日の施設の累積エネルギー消費量の目標パターンに基づく警報値以上であるか否かを判定するよう構成したので、１日単位でエネルギー消費量を管理することができる。
【０２００】
また、請求項９８に係る発明は、請求項９１〜９７に係る発明において、前記目標パターンは、過去の実績データまたはシミュレーション結果に基づくものであることを特徴とする。
【０２０１】
この請求項９８に係る発明によれば、目標パターンは、過去の実績データまたはシミュレーション結果に基づくものであるよう構成したので、目標パターンを過去の実績値またはシミュレーション結果を反映させたものとすることができる。
【０２０２】
また、請求項９９に係る発明は、請求項９１〜９８に係る発明において、前記目標パターンは、エネルギー需要が異なる暖房期、冷房期および中間期にそれぞれ対応して異なる目標パターンであることを特徴とする。
【０２０３】
この請求項９９に係る発明によれば、目標パターンは、エネルギー需要が異なる暖房期、冷房期および中間期にそれぞれ対応して異なる目標パターンであるよう構成したので、目標パターンをエネルギー需要に適したものにすることができる。
【０２０４】
また、請求項１００に係る発明は、請求項９９に係る発明において、前記目標パターンは、前記暖房期、冷房期および中間期の各期をそれぞれ細分した細分期間ごとの目標パターンであり、各細分期間の目標パターンは、細分前の該各期の目標パターンを該各期および該各細分期間の外気温の相違に基づいて補正したものであることを特徴とする。
【０２０５】
この請求項１００に係る発明によれば、目標パターンは、暖房期、冷房期および中間期の各期をそれぞれ細分した細分期間ごとの目標パターンであり、各細分期間の目標パターンは、細分前の各期の目標パターンを各期および各細分期間の外気温の相違に基づいて補正したものであるよう構成したので、目標パターンをよりエネルギー需要に適したものにすることができる。
【発明の効果】
【０２０６】
請求項１、１１、２１、３１、４１、５１、６１、７１、８１または９１に係る発明によれば、エネルギー消費量を目標値に沿って制御するので、エネルギー消費量を削減することができるという効果を奏する。
【０２０７】
また、請求項２、１２、２２、３２、４２、５２、６２、７２、８２または９２に係る発明によれば、設備の優先度に基づいてエネルギー消費量を管理するので、エネルギー消費量削減による影響を少なくすることができるという効果を奏する。
【０２０８】
また、請求項３、１３、２３、３３、４３、５３、６３、７３、８３または９３に係る発明によれば、エネルギー消費量を不必要に削減することを防ぐので、過度の省エネによる悪影響をなくすことができるという効果を奏する。
【０２０９】
また、請求項４、１４、２４、３４、４４、５４、６４、７４、８４または９４に係る発明によれば、実績値が警報値以上であるか否かを簡単に判定できるので、効率良く判定することができるという効果を奏する。
【０２１０】
また、請求項５、１５、２５、３５、４５、５５、６５、７５、８５または９５に係る発明によれば、エネルギー消費量の実績に基づいて制御を調整するので、省エネの達成状況に応じた柔軟な制御を行うことができるという効果を奏する。
【０２１１】
また、請求項６、１６、２６、３６、４６、５６、６６、７６、８６または９６に係る発明によれば、エネルギー消費量を目標値に沿って確実に制御するので、確実にエネルギー消費量を削減することができるという効果を奏する。
【０２１２】
また、請求項７、１７、２７、３７、４７、５７、６７、７７、８７または９７に係る発明によれば、１日単位でエネルギー消費量を管理するので、エネルギー消費量の削減をきめ細かく行うことができるという効果を奏する。
【０２１３】
また、請求項８、１８、２８、３８、４８、５８、６８、７８、８８または９８に係る発明によれば、目標パターンを過去の実績値またはシミュレーション結果を反映させたものとするので、無理なくエネルギー消費量を削減することができるという効果を奏する。
【０２１４】
また、請求項９、１９、２９、３９、４９、５９、６９、７９、８９または９９に係る発明によれば、目標パターンをエネルギー需要に適したものにするので、需要に合わせつつエネルギー消費量を削減することができるという効果を奏する。
【０２１５】
また、請求項１０、２０、３０、４０、５０、６０、７０、８０、９０または１００に係る発明によれば、目標パターンをよりエネルギー需要に適したものにするので、より需要に合わせた形でエネルギー消費量を削減することができるという効果を奏する。
【発明を実施するための最良の形態】
【０２１６】
以下に添付図面を参照して、この発明に係るエネルギー管理装置、施設監視制御装置、エネルギー管理プログラムおよび施設監視制御プログラムの好適な実施例を詳細に説明する。
【実施例】
【０２１７】
まず、本実施例に係るエネルギー管理装置によるエネルギー管理の概念について説明する。図１−１〜図１−３は、本実施例に係るエネルギー管理装置によるエネルギー管理の概念を説明するための説明図（１）〜（３）である。
【０２１８】
図１−１は、１日のエネルギー消費量の累積値について、目標値、警報値および実績値を累積曲線として示している。同図において、細い実線は、１日のエネルギー消費量の累積値の目標ラインを示し、この目標ラインは、過去のデータまたはシミュレーションによって算出される。
【０２１９】
破線は、目標ラインの目標値を所定の割合（例えば５％）だけ増加させたアラームラインを示す。そして、本実施例に係るエネルギー管理装置は、１日のエネルギー消費量の実績値を累積し、累積値がアラームライン上の警報値以上になると、一部の照明の消灯や空調設備の設定温度の変更などを行い、エネルギー消費量を減少させるように制御する。
【０２２０】
すなわち、図１−１の太い実線で示す実績ラインのように、１日のエネルギー消費量の累積値がアラームライン以上になると、本実施例に係るエネルギー管理装置は、エネルギー消費量を減らすように設備を操作することによって、実績ラインが目標ラインに沿って推移するように制御する。
【０２２１】
なお、目標ラインを所定の割合だけ増加させたアラームラインを設ける理由は、外気温の変動や人の数などによりエネルギー消費量は変動することから、それらの変動を吸収するためである。
【０２２２】
また、アラームラインは、目標ラインを所定の割合だけ増加させることによって作成されるが、実際のエネルギー消費量が一定の期間、目標ラインに沿った場合などに、所定の割合を変えてアラームラインを下げることもできる。すなわち、エネルギー消費量の実績に応じてアラームラインを変動させることができる。なお、アラームラインを変動させる場合、目標ラインを下まわるように変動させることもできる。
【０２２３】
図１−２は、実績値がアラームライン上の警報値以上になった場合に、本実施例に係るエネルギー管理装置が行う制御例を示す。同図に示すように、本実施例に係るエネルギー管理装置は、「廊下照明を７５％点灯にする」、「廊下空調を停止する」など施設の設備を操作することによって、エネルギー消費量が減少するように制御する。また、制御例に付けられた番号は制御の優先順位を示し、実績値が警報値以上になった場合に、優先順位の高い順に段階的に制御動作を行っていく。
【０２２４】
図１−３は、本実施例に係るエネルギー管理装置によるエネルギー消費量の定量化イメージを示す図である。同図に示すように、本実施例に係るエネルギー管理装置は、電力会社やガス会社から１日に消費可能なエネルギーを受け取りタンクに蓄える。
【０２２５】
そして、タンクに蓄えたエネルギーを空調設備、照明設備、換気設備などに供給し、タンク内のエネルギーの減少が激しい場合には、タンクからエネルギーを供給する蛇口をしめることによって消費量を縮減する。
【０２２６】
このように、本実施例に係るエネルギー管理装置は、１日のエネルギー消費量を累積した実績値が警報値以上であるか否かを監視し、実績値が警報値以上であると、優先順位に基づいて施設の設備をエネルギー消費量が減少するように操作することによって、エネルギー消費量が目標値に沿うように制御し、省エネルギーを実現することができる。
【０２２７】
次に、本実施例に係るエネルギー管理システムのシステム構成について説明する。図２は、本実施例に係るエネルギー管理システムのシステム構成を示す機能ブロック図である。同図に示すように、このエネルギー管理システムは、ビルなどの施設の設備を監視制御するｎ台の施設監視制御装置１０1〜１０nと、各施設のエネルギー消費量が目標値に沿って推移するように制御するエネルギー管理装置１００とがＩＰ−ＶＡＮ２０によって接続されて構成される。
【０２２８】
施設監視制御装置１０1〜１０nは、空調制御部１１と、照明制御部１２と、昇降機制御部１３と、集計部１４と、通信部１５とを有する。
【０２２９】
空調制御部１１は、空調設備を監視制御する制御部であり、空調設備のエネルギー消費量についてのデータを収集する。照明制御部１２は照明設備を監視制御する制御部であり、照明設備のエネルギー消費量についてのデータを収集する。昇降機制御部１３は、昇降機設備を監視制御する制御部であり、昇降機設備のエネルギー消費量についてのデータを収集する。
【０２３０】
集計部１４は、空調制御部１１、照明制御部１２および昇降機制御部１３が収集したエネルギー消費量についてのデータから施設全体の午前零時からの累積エネルギー消費量を３分ごとに算出する処理部である。
【０２３１】
通信部１５は、集計部１４が算出した施設全体の午前零時からの累積エネルギー消費量をＩＰ−ＶＡＮ２０を用いてエネルギー管理装置１００に３分ごとに送信する処理部である。
【０２３２】
また、この通信部１５は、エネルギー管理装置１００が施設の消費エネルギー量が警報値以上であると判断した場合に送信する制御指示を受信し、受信した制御指示を対象設備の制御部に渡す。ここで、制御指示としては、照明設備の消灯、空調設備の温度変更などがある。
【０２３３】
エネルギー管理装置１００は、実績値取得部１１０と、実績値記憶部１２０と、アラームライン記憶部１３０と、消費量判定部１４０と、優先順位記憶部１５０と、制御動作記憶部１６０と、制御指示部１７０と、保守部１８０と、入出力部１９０と、通信部２００とを有する。
【０２３４】
実績値取得部１１０は、施設監視制御装置１０1〜１０nから通信部２００を介して午前零時からの累積エネルギー消費量の実績値を３分ごとに受信し、実績値記憶部１２０に書き込む処理部である。
【０２３５】
実績値記憶部１２０は、１日のエネルギー消費量の実績値の時刻ごとの累積値を施設ごとに記憶した記憶部である。図３は、実績値記憶部１２０が施設ごとに記憶する累積エネルギー消費量の実績値の一例を示す図である。
【０２３６】
同図に示すように、この実績値記憶部１２０は、各施設について午前零時からの累積エネルギー消費量の実績値を３分ごとに記憶する。例えば、「０時０分」の実績値は、「０ＫＷＨ」であり、「０時３分」の実績値は「２ＫＷＨ」である。
【０２３７】
アラームライン記憶部１３０は、１日のエネルギー消費量のアラームラインを時刻ごとの警報値として記憶し、目標ラインを時刻ごとの目標値として施設ごとに記憶した記憶部である。
【０２３８】
このアラームライン記憶部１３０は、複数の目標ラインを記憶する。すなわち、本実施例に係るエネルギー管理装置１００では、１年を複数の期間に分割して各期間ごとに目標ラインを設定する。図４は、期間ごとに目標ラインが設定される期間区分を示す図である。
【０２３９】
同図に示すように、本実施例に係るエネルギー管理装置１００では、１年を暖房期と冷房期と中間期に分類し、各期を更に複数の期間に細分する。具体的には、暖房期を４つに分類し、中間期を２つに分類し、冷房期を３つに分類することによって、１年を９期間に分類する。
【０２４０】
そして、過去のデータをもとにしてシミュレーションを行うことによって、暖房期、中間期および冷房期の目標ラインを決定し、それら各期の目標ラインを細分期間ごとに平均気温を用いて調整することによって各期間の目標ラインを決定する。
【０２４１】
図５は、暖房期、中間期および冷房期の目標ラインから各期間の目標ラインを算出する手法を説明するための説明図である。同図に示すように、例えば冷房期の３つの期間の目標ラインは、冷房期の目標ラインを平均気温を用いて調整することによって算出する。具体的には、冷房期全体の平均気温と期間Ｖの平均気温との比率に基づく値を冷房期の目標ラインに乗じることによって期間Ｖの目標ラインを算出する。
【０２４２】
図６は、アラームライン記憶部１３０が施設ごとに記憶するアラームラインおよび目標ラインの一例を示す図である。同図に示すように、このアラームライン記憶部１３０は、アラームラインおよび各期間の目標ラインの３分ごとの値を記憶する。
【０２４３】
例えば、「時刻０時０分」における警報値、目標値は「０ＫＷＨ」であり、「時刻０時３分」における警報値は「３ＫＷＨ」であり、目標ラインＩの目標値Ｉは「２．９ＫＷＨ」であり、目標ラインＩＸの目標値ＩＸは「２．８ＫＷＨ」である。
【０２４４】
なお、アラームラインについては、各期間の初日に、対応する目標ラインの各目標値を５％増加させた値がアラームライン記憶部１３０に記憶される。また、この５％という値は、エネルギー消費量が一定期間目標以内におさまっている施設については、４％、３％、−３％などのように、順次変更することもできる。
【０２４５】
消費量判定部１４０は、実績値記憶部１２０に記憶された実績値とアラームライン記憶部１３０に記憶された警報値とを３分ごとに比較して実績値がアラームライン以上であるか否かを判定し、判定結果を制御指示部１７０に通知する処理部である。
【０２４６】
この消費量判定部１４０が、実績値記憶部１２０に記憶された実績値とアラームライン記憶部１３０に記憶された警報値とを３分ごとに比較して実績値がアラームライン以上であるか否かを判定することによって、目標ラインに沿ってエネルギー消費量が推移するように制御することが可能となる。
【０２４７】
優先順位記憶部１５０は、エネルギー消費量を減少させるために操作する設備の優先度表を施設ごとに記憶した記憶部である。図７は、優先順位記憶部１５０が施設ごとに記憶する優先度表の一例を示す図である。
【０２４８】
同図に示すように、この優先度表は、エネルギー消費量を減少させるために操作する設備のポイントを優先順位と対応させて記憶する。例えば、優先順位が「１」であるポイントは「Ｒ１」であり、優先順位が「２」であるポイントは「Ｒ１３」である。
【０２４９】
制御動作記憶部１６０は、施設監視制御装置１０1〜１０nへの制御指示としてエネルギー管理装置１００が送信する動作ＩＤと動作条件とを設備のポイントに対応させた制御動作表を記憶した記憶部である。
【０２５０】
図８は、制御動作記憶部１６０が施設ごとに記憶する制御動作表の一例を示す図である。同図に示すように、この制御動作表は、設備のポイントごとに、設備のある階数、場所、動作内容、動作ＩＤおよび動作条件を記憶している。
【０２５１】
例えば、ポイント「Ｒ１」は、「３階の廊下の照明」を操作するポイントであり、動作内容は「発停」すなわち「照明の起動または停止」であり、動作ＩＤは「Ｃ０１０５０６」であり、動作条件「０」に対応する動作は「停止」である。また、ポイント「ＶＡＶ−３−１」は、「３階の事務室１のＶＡＶ制御」のポイントであり、動作内容は「温度設定」であり、動作条件は設定温度である。
【０２５２】
この制御動作記憶部１６０が設備のエネルギー消費量を減少させるために設備の停止や設定を変更するポイントの動作ＩＤおよび動作条件を記憶し、エネルギー管理装置１００が、この制御動作記憶部１６０に記憶された動作ＩＤおよび動作条件を施設監視制御装置へ送信することによって、各施設監視制御装置が設備のエネルギー消費量を制御する。
【０２５３】
制御指示部１７０は、消費量判定部１４０が実績値がアラームライン以上であると判定した場合に、優先順位記憶部１５０および制御動作記憶部１６０に基づいて、対応する施設監視制御装置にエネルギー消費量を減少させるための制御指示を送信する処理部である。
【０２５４】
具体的には、この制御指示部１７０は、優先順位記憶部１５０に記憶された優先順位に従って操作するポイントを取得し、取得したポイントに対応する動作ＩＤおよび動作条件を制御動作記憶部１６０から取得して対応する施設監視制御装置に送信する。そして、動作ＩＤと動作条件を受信した施設監視制御装置１０1〜１０nは、動作ＩＤと動作条件に基づいて設備の制御を行う。
【０２５５】
この制御指示部１７０が、消費量判定部１４０が実績値がアラームライン以上であると判定した施設監視制御装置がある場合に、優先順位記憶部１５０および制御動作記憶部１６０を参照して制御指示をその施設監視制御装置に送信することによって、エネルギー消費量を目標値に沿うように制御することができる。
【０２５６】
保守部１８０は、アラームライン記憶部１３０に記憶される目標ラインの修正や優先順位記憶部１５０に記憶される優先順位の変更などを行う処理部である。また、この保守部１８０は、エネルギー消費量の施設監視制御装置１０1〜１０nからの取得間隔時間や、アラームラインの目標ラインからの増加率などの設定値を変更する処理も行う。
【０２５７】
入出力部１９０は、エネルギー消費量の実績ラインや目標ラインを表示装置に表示する表示処理や、目標ラインの値などを入力する設定値入力処理などの入出力処理を行う処理部である。
【０２５８】
通信部２００は、ＩＰ−ＶＡＮ２０を介して施設監視制御装置１０1〜１０nと通信する処理部であり、施設監視制御装置１０1〜１０nから午前零時からの累積エネルギー消費量の実績値を受信し、施設監視制御装置１０1〜１０nに制御指示を送信する。
【０２５９】
次に、本実施例に係るエネルギー管理装置１００によるエネルギー消費量制御処理の処理手順について説明する。図９は、本実施例に係るエネルギー管理装置１００によるエネルギー消費量制御処理の処理手順を示すフローチャートである。なお、ここでは、施設監視制御装置１０1によって管理される設備に対する処理を一例として示す。
【０２６０】
同図に示すように、このエネルギー管理装置１００によるエネルギー消費量制御処理は、実績値取得部１１０が３分ごとに施設監視制御装置１０1から午前零時からの累積エネルギー消費量の実績値を取得し、取得した実績値を実績値記憶部１２０に格納する（ステップＳ９０１）。
【０２６１】
そして、取得した実績値がアラームライン記憶部１３０の対応する時刻の警報値以上であるか否かを消費量判定部１４０が判定し（ステップＳ９０２）、実績値が警報値以上である場合には、制御指示部１７０が優先順位記憶部１５０に記憶された優先順位にしたがって、操作するポイントを一つ選定し（ステップＳ９０３）、取得したポイントに対応する動作ＩＤと動作条件を制御動作記憶部１６０から取得する（ステップＳ９０４）。
【０２６２】
そして、取得した動作ＩＤと動作条件を通信部２００を介して施設監視制御装置１０1に送信して制御開始を指示する（ステップＳ９０５）。また、入出力部１９０を介して、表示装置に実績値が警報値以上であることを示す警報を表示する（ステップＳ９０６）とともに、実績ラインを更新する（ステップＳ９０７）。
【０２６３】
一方、取得した実績値がアラームライン記憶部１３０の対応する時刻の警報値以上でない場合には、入出力部１９０を介して表示装置の実績ラインを更新し（ステップＳ９０７）、処理を終了する。
【０２６４】
このように、このエネルギー消費量制御処理では、消費量判定部１４０が実績値が警報値以上であるか否かを判定し、実績値が警報値以上である場合に、制御指示部１７０が施設監視制御装置１０1にエネルギー消費量を削減する制御指示を送信することによって、エネルギー消費量を目標ラインに沿うように制御することができる。
【０２６５】
なお、このエネルギー消費量制御処理は、起動されて実績値が警報値以上であると判定するごとに、優先順位にしたがってポイントを一つ選択して制御指示を行う。また、このエネルギー消費量制御処理によって制御されたポイントは、１時間経過後に実績値が警報値を下まわっているか否かが判定され、実績値が警報値を下まわっている場合に元にもどされる。ここで、１時間経過後の代わりに他の経過時間を用いることもできる。
【０２６６】
また、ここでは、エネルギー消費量制御処理を３分ごとに起動する場合について説明したが、他の時間間隔でエネルギー消費量制御処理を起動することもできる。また、実績値取得部１１０が実績値を取得する時間間隔と、消費量判定部１４０が実績値と警報値とを比較する時間間隔とを異なる値とすることもできる。
【０２６７】
次に、入出力部１９０により表示装置に表示される画面例について説明する。図１０は、エネルギー消費量のアラームライン、目標ラインおよび実績ラインを表示する画面の一例を示す図である。同図において、破線はアラームラインを示し、点線は目標ラインを示し、実線は実績ラインを示す。なお、エネルギー消費量の単位は、ＫＷＨでもＭＪでも表示することができる。
【０２６８】
図１１は、アラームライン記憶部１３０に記憶される目標ラインを設定する画面の一例を示す図である。同図は、目標ラインの値を１５分ごとに設定する場合を示している。このような画面を用いて、目標ラインを簡単な操作で設定することができる。
【０２６９】
図１２は、優先順位記憶部１５０および制御動作記憶部１６０に記憶されるポイントの優先順位、動作内容および動作内容が温度設定である場合の温度を設定する設定画面の一例を示す図である。このような画面を用いて各ポイントの優先順位などを簡単な操作で設定することができる。
【０２７０】
図１３は、エネルギー管理装置１００の制御パラメータを変更する画面の一例を示す図である。同図に示すように、この画面を用いて、施設監視制御装置１０1〜１０nから累積エネルギー消費量の実績値を受信する時間間隔（エネルギー消費量取得間隔）やエネルギー消費量制御処理の時間間隔（エネルギー制御実行間隔）などの値を簡単に変更することができる。
【０２７１】
上述してきたように、本実施例では、実績値取得部１１０が施設監視制御装置１０1〜１０nから午前零時からの累積エネルギー消費量の実績値を３分ごとに取得し、消費量判定部１４０が実績値とアラームライン記憶部１３０に記憶された警報値とを比較して、実績値が警報値以上である施設があるか否かを判定し、実績値が警報値以上である施設がある場合に、制御指示部１７０がその施設の施設監視制御装置に対してエネルギー消費量を減少する制御指示を優先順位記憶部１５０および制御動作記憶部１６０を参照して送信することとしたので、エネルギー消費量を目標ラインに沿うように制御し、省エネを実現することができる。
【０２７２】
なお、本実施例では、施設全体のエネルギー消費量をまとめて管理する場合について説明したが、本発明はこれに限定されるものではなく、施設を複数のブロックに分割し、ブロックごとに目標ラインを定めてエネルギー消費量を制御する場合にも同様に適用することができる。
【０２７３】
また、本実施例では、１日のエネルギー消費量を用いて制御する場合について説明したが、本発明はこれに限定されるものではなく、他の期間のエネルギー消費量、例えば、８時から２０時の間のエネルギー消費量を用いて制御する場合にも同様に適用することができる。
【０２７４】
また、本実施例では、目標ラインを過去の実績データまたはシミュレーションにより作成する場合について説明したが、本発明はこれに限定されるものではなく、例えば省エネ診断を行って実績データを修正して用いる場合や、コストの観点から所定の予算内で最もコストが安くなる理想的な目標ラインを用いる場合にも同様に適用することができる。
【０２７５】
また、本実施例では、エネルギー管理装置１００が優先順位記憶部１５０と制御動作記憶部１６０を有し、制御指示部１７０が優先順位記憶部１５０と制御動作記憶部１６０を参照して動作ＩＤと動作条件を施設監視制御装置１０1〜１０nに送信する場合について説明したが、本発明はこれに限定されるものではなく、エネルギー管理装置１００は制御の内容を指定せずにエネルギー消費量の削減だけを指示し、施設監視制御装置１０1〜１０nが優先順位記憶部１５０および制御動作記憶部１６０と同様な内容を記憶し、動作ＩＤと動作条件を決定する場合にも同様に適用することができる。
【０２７６】
また、本実施例では、施設監視制御装置１０1〜１０nにＩＰ−ＶＡＮ２０で接続されたエネルギー管理装置１００がエネルギー消費量の制御を行う場合について説明したが、本発明はこれに限定されるものではなく、施設監視制御装置１０1〜１０nがそれぞれ目標ラインを記憶し、エネルギー消費量が目標ラインに沿うように制御する場合にも同様に適用することができる。
【０２７７】
また、本実施例では、施設監視制御装置１０1〜１０nにＩＰ−ＶＡＮ２０で接続されたエネルギー管理装置１００がエネルギー消費量の制御を行う場合について説明したが、本発明はこれに限定されるものではなく、施設監視制御装置１０1〜１０nに直接あるいは他のネットワークで接続されたエネルギー管理装置１００がエネルギー消費量の制御を行う場合にも同様に適用することができる。
【０２７８】
また、本実施例では、施設監視制御装置１０1〜１０nが午前零時からの累積エネルギー消費量をエネルギー管理装置１００に送信する場合について説明したが、本発明はこれに限定されるものではなく、施設監視制御装置１０1〜１０nがエネルギー消費量を示すデータをエネルギー管理装置１００に送信し、エネルギー管理装置１００が累積エネルギー消費量を算出する場合にも同様に適用することができる。
【０２７９】
また、本実施例では、目標ラインを期間ごとに定めて制御する場合について説明したが、本発明はこれに限定されるものではなく、例えば、外気温の１日の変化が通常のパターンと異なる特異日については、特異日用の目標ラインを用いて制御することもできる。
【０２８０】
また、本実施例では、エネルギー消費量の目標ラインを期間ごとに定めて制御する場合について説明したが、各施設または各ブロックでのエネルギー消費量を例えば月ごとに合計し、合計値がその月の目標値以下である場合には、その差を翌月の目標値に加えて、日別の目標値を増加させることもできる。
【０２８１】
また、本実施例では、エネルギー消費量制御処理において、実績値がアラームライン以上であると判定するごとにポイントを１つ選択して制御する場合について説明したが、本発明はこれに限定されるものではなく、例えば実績値がアラームラインを超えている量や実績値の増加速度に基づいて選択するポイントの個数を変化させるなど他の制御を行う場合にも同様に適用することができる。
【０２８２】
また、本実施例では、エネルギー消費量を管理する場合について説明したが、エネルギーだけではなく、水道や通信の使用量などを目標ラインを設けて制御する場合にも同様に適用することができる。この場合、エネルギー消費量と水道や通信の使用量は単位が異なるため、これら全てを費用に換算して目標ラインを設ける。
【産業上の利用可能性】
【０２８３】
以上のように、本発明に係るエネルギー管理装置、施設監視制御装置、エネルギー管理プログラムおよび施設監視制御プログラムは、ビルなどの施設のエネルギー消費量の管理に有用であり、特に、エネルギーの効率的な利用が必要な施設のエネルギー管理に適している。
【図面の簡単な説明】
【０２８４】
【図１−１】本実施例に係るエネルギー管理装置によるエネルギー管理の概念を説明するための説明図（１）である。
【図１−２】本実施例に係るエネルギー管理装置によるエネルギー管理の概念を説明するための説明図（２）である。
【図１−３】本実施例に係るエネルギー管理装置によるエネルギー管理の概念を説明するための説明図（３）である。
【図２】本実施例に係るエネルギー管理システムのシステム構成を示す機能ブロック図である。
【図３】実績値記憶部が施設ごとに記憶する実績値の一例を示す図である。
【図４】目標ラインが期間ごとに設定される期間区分を示す図である。
【図５】暖房期、中間期および冷房期の目標ラインから各期間の目標ラインを算出する手法を説明するための説明図である。
【図６】アラームライン記憶部が施設ごとに記憶するアラームラインおよび目標ラインの一例を示す図である。
【図７】優先順位記憶部が施設ごとに記憶する優先度表の一例を示す図である。
【図８】制御動作記憶部が施設ごとに記憶する制御動作表の一例を示す図である。
【図９】本実施例に係るエネルギー管理装置によるエネルギー消費量制御処理の処理手順を示すフローチャートである。
【図１０】エネルギー消費量のアラームライン、目標ラインおよび実績ラインを表示する画面の一例を示す図である。
【図１１】アラームライン記憶部に記憶される目標ラインを設定する画面の一例を示す図である。
【図１２】優先順位記憶部および制御動作記憶部に記憶されるポイントの優先順位、動作内容および動作内容が温度設定である場合の温度を設定する設定画面の一例を示す図である。
【図１３】エネルギー管理装置の制御パラメータを変更する画面の一例を示す図である。
【符号の説明】
【０２８５】
１０1〜１０n    施設監視制御装置
１１    空調制御部
１２    照明制御部
１３    昇降機制御部
１４    集計部
１５    通信部
２０    ＩＰ−ＶＡＮ
１００    エネルギー管理装置
１１０    実績値取得部
１２０    実績値記憶部
１３０    アラームライン記憶部
１４０    消費量判定部
１５０    優先順位記憶部
１６０    制御動作記憶部
１７０    制御指示部
１８０    保守部
１９０    入出力部
２００    通信部
【図１−１】
2005261050.tif 000003
【図１−２】
2005261050.tif 000004
【図１−３】
2005261050.tif 000005
【図２】
2005261050.tif 000006
【図３】
2005261050.tif 000007
【図４】
2005261050.tif 000008
【図５】
2005261050.tif 000009
【図６】
2005261050.tif 000010
【図７】
2005261050.tif 000011
【図８】
2005261050.tif 000012
【図９】
2005261050.tif 000013
【図１０】
2005261050.tif 000014
【図１１】
2005261050.tif 000015
【図１２】
2005261050.tif 000016
【図１３】
2005261050.tif 000017